(57)【要約】      （修正有）【課題】  電子クーポンの利便性を向上する。【解決手段】  サーバ装置のＨＤＤ４４は、設定条件情報を格納する設定条件記憶部４４ａを備え、サーバ装置のＣＰＵ４１１は、メーカ端末装置１から、電子クーポンの設定条件情報として、対象とする商品の識別情報である商品識別情報、当該商品の値引き内容を表す値引き内容情報、当該電子クーポンの使用可能な期間の情報である有効期間情報、及び、当該電子クーポンを使用可能な地域の地域識別情報とを受け付ける設定条件受付部４１１ａと、店舗端末装置２から、設定条件記憶部４４ａに設定条件情報が格納されている電子クーポンの中から、少なくとも１の電子クーポンを、当該店舗端末装置２が配設されている店舗で使用可能とする旨の指示情報を受け付ける使用店舗受付部４１１ｂと備えている。【選択図】  図３
2006318125.tif 000002
【特許請求の範囲】
【請求項１】
複数のメーカにそれぞれ配設されたメーカ端末装置及び複数の店舗にそれぞれ配設された店舗端末装置と通信可能に接続され、前記複数の店舗の内、少なくとも１の店舗で利用可能な電子クーポンを提供する電子クーポン用サーバ装置であって、
前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、
前記設定条件受付手段によって受け付けられた値引き内容情報及び有効期間情報を商品識別情報と対応付けて格納する設定条件記憶手段と、
前記店舗端末装置から、前記設定条件記憶手段に設定条件情報が格納されている電子クーポンの中から、少なくとも１の電子クーポンを使用可能とする旨の指示情報を受け付ける使用店舗受付手段とを備え、
前記使用店舗受付手段は、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴とする電子クーポン用サーバ装置。
【請求項２】
前記設定条件受付手段は、電子クーポンを使用可能な店舗として、前記複数の店舗の内、少なくとも１の店舗の店舗識別情報を受け付け、前記設定条件記憶手段に、前記商品識別情報と対応付けて格納することを特徴とする請求項１に記載の電子クーポン用サーバ装置。
【請求項３】
地域毎の識別情報である地域識別情報に対応付けて、その地域に配設されている店舗の店舗識別情報を格納する店舗記憶手段を備え、
前記設定条件受付手段は、電子クーポンを使用可能な地域として、少なくとも１の地域の地域識別情報を受け付け、前記設定条件記憶手段に、前記商品識別情報と対応付けて格納することを特徴とする請求項１に記載の電子クーポン用サーバ装置。
【請求項４】
前記店舗端末装置から、前記店舗識別情報を受け付けて、受け付けられた店舗識別情報に対応する店舗で使用可能な電子クーポンの設定条件情報を前記設定条件記憶手段から抽出すると共に、抽出された電子クーポンの設定条件情報を前記店舗端末装置へ送信するクーポン抽出手段を備えることを特徴とする請求項２又は３に記載の電子クーポン用サーバ装置。
【請求項５】
商品毎に、その商品を分類する情報である商品分類情報と、その商品のメーカの識別情報であるメーカ識別情報とをその商品の商品識別情報と対応付けて格納する商品記憶手段を備え、
前記クーポン抽出手段は、前記店舗端末装置から、前記メーカ識別情報及び商品分類情報の少なくとも一方を受け付けて、受け付けられた情報に対応する商品識別情報を前記商品記憶手段から読み出して、読み出された商品識別情報に対応する設定条件情報を設定条件記憶手段から読み出して、読み出された設定条件情報を当該店舗端末装置に対して送信することを特徴とする請求項４に記載の電子クーポン用サーバ装置。
【請求項６】
前記クーポン抽出手段は、前記店舗端末装置から、要求する値引き内容を表す要求値引き内容情報を受け付けて、受け付けられた要求値引き内容情報を満たす設定条件情報を設定条件記憶手段から読み出し、読み出された設定条件情報を当該店舗端末装置に対して送信することを特徴とする請求項５に記載の電子クーポン用サーバ装置。
【請求項７】
前記店舗端末装置から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報を受け付ける要求条件受付手段と、
前記要求条件受付手段によって受け付けられた要求商品識別情報、要求値引き内容情報及び要求有効期間情報を店舗識別情報と対応付けて格納する要求条件記憶手段とを備えることを特徴とする請求項１〜６のいずれかに記載の電子クーポン用サーバ装置。
【請求項８】
前記商品識別情報と、その商品のメーカの識別情報であるメーカ識別情報とを対応付けて格納するメーカ記憶手段と、
前記要求条件記憶手段に格納された商品識別情報に対応するメーカ識別情報を前記メーカ記憶手段から読み出して、読み出されたメーカ識別情報に対応するメーカ端末装置に対して、前記要求設定条件情報を送信する要求条件送信手段とを備えることを特徴とする請求項７に記載の電子クーポン用サーバ装置。
【請求項９】
前記メーカ端末装置から、前記要求設定条件情報に対応する応答情報として、少なくとも前記値引き内容情報及び有効期間情報の一方を受け付けて、前記要求条件記憶手段に店舗識別情報と対応付けて格納する応答受付手段と、
前記応答情報が受け付けられた場合に、前記要求条件記憶手段から、当該応答情報に対応する店舗識別情報を読み出して、読み出された店舗識別情報に対応する店舗端末装置に対して、前記応答情報を送信する応答送信手段とを備えることを特徴とする請求項８に記載の電子クーポン用サーバ装置。
【請求項１０】
複数のメーカにそれぞれ配設されたメーカ端末装置及び複数の店舗にそれぞれ配設された店舗端末装置と通信可能に接続され、前記複数の店舗の内、少なくとも１の店舗で利用可能な電子クーポンを提供するサーバ装置の電子クーポン提供プログラムであって、前記サーバ装置を、
前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、
前記設定条件受付手段によって受け付けられた値引き内容情報及び有効期間情報を商品識別情報と対応付けて格納する設定条件記憶手段と、
前記店舗端末装置から、前記設定条件記憶手段に設定条件情報が格納されている電子クーポンの中から、少なくとも１の電子クーポンを使用可能とする旨の指示情報を受け付ける使用店舗受付手段として機能させ、
前記使用店舗受付手段は、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴とする電子クーポン提供プログラム。
【請求項１１】
複数のメーカにそれぞれ配設されたメーカ端末装置と、複数の店舗にそれぞれ配設された店舗端末装置と、前記メーカ端末装置及び店舗端末装置と通信可能に接続され、前記複数の店舗の内、少なくとも１の店舗で利用可能な電子クーポンを提供する電子クーポン用サーバ装置とを備える電子クーポン提供システムであって、
前記電子クーポン用サーバ装置は、
前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、
前記設定条件受付手段によって受け付けられた値引き内容情報及び有効期間情報を商品識別情報と対応付けて格納する設定条件記憶手段と、
前記店舗端末装置から、前記設定条件記憶手段に設定条件情報が格納されている電子クーポンの中から、少なくとも１の電子クーポンを使用可能とする旨の指示情報を受け付ける使用店舗受付手段とを備え、
前記使用店舗受付手段は、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴とする電子クーポン提供システム。
【発明の詳細な説明】
【技術分野】
【０００１】
本発明は、複数のメーカにそれぞれ配設されたメーカ端末装置及び複数の店舗にそれぞれ配設された店舗端末装置と通信可能に接続され、前記複数の店舗の内、少なくとも１の店舗で利用可能な電子クーポンを提供する電子クーポン用サーバ装置、電子クーポン提供プログラム及び電子クーポン提供システムに関するものである。
【背景技術】
【０００２】
従来、メーカ又は店舗が販売促進等を行う目的で、特定の商品又はサービスの割引を行うためのクーポンが用いられていた。通常、このクーポンは、紙等を材料としてクーポン券として作成されており、クーポン券上には、割引の対象となる商品名、割引金額（又は、割引率）等が印字されているものである。
【０００３】
そして、利用者は、何らかの方法で予め取得した（例えば、街頭で配っているクーポン券を受け取った）クーポン券を、そのクーポン券の対象商品を購入する際に店舗側へ渡すことによって、対象商品をクーポン券に印字された割引金額（又は割引率）分値引いた金額で購入することができるものである。
【０００４】
このようなクーポン券は、街頭で配布する等の方法で利用者に取得させ、クーポン券が利用された店舗では、クーポン券の集計等を行う必要があり、利便性の向上が必要であった。
【０００５】
この課題を解消するために、クーポン券に相当するデータである電子クーポンを利用可能とするシステムが提案されている。例えば、特許文献１には、電子クーポンに関する情報に対応するバーコード情報を生成し、そのバーコード情報を携帯電話に対して送信する電子クーポンシステムが提案されている。そして、店舗に配設されたバーコード読み取り装置を介して、携帯電話のモニタに表示された電子クーポン情報を読み取らせることで、電子クーポンを店舗側に提示し得るようにしている。
【特許文献１】特開２００２−１８９９６３号公報
【発明の開示】
【発明が解決しようとする課題】
【０００６】
しかしながら、電子クーポンを使用するためには、この電子クーポンの割引金額（又は割引率）、有効期間等の設定条件に関して、予めメーカと店舗とが合意している必要があり、この点に関して利便性を向上する必要があった。
【０００７】
本発明は上記課題に鑑みてなされたもので、利便性の良好な電子クーポン用サーバ装置、電子クーポン提供プログラム及び電子クーポン提供システムを提供することを目的とするものである。
【課題を解決するための手段】
【０００８】
請求項１に記載の電子クーポン用サーバ装置は、複数のメーカにそれぞれ配設されたメーカ端末装置及び複数の店舗にそれぞれ配設された店舗端末装置と通信可能に接続され、前記複数の店舗の内、少なくとも１の店舗で利用可能な電子クーポンを提供する電子クーポン用サーバ装置であって、前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、前記設定条件受付手段によって受け付けられた値引き内容情報及び有効期間情報を商品識別情報と対応付けて格納する設定条件記憶手段と、前記店舗端末装置から、前記設定条件記憶手段に設定条件情報が格納されている電子クーポンの中から、少なくとも１の電子クーポンを使用可能とする旨の指示情報を受け付ける使用店舗受付手段とを備え、前記使用店舗受付手段が、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴としている。
【０００９】
請求項１０に記載の電子クーポン提供プログラムは、複数のメーカにそれぞれ配設されたメーカ端末装置及び複数の店舗にそれぞれ配設された店舗端末装置と通信可能に接続され、前記複数の店舗の内、少なくとも１の店舗で利用可能な電子クーポンを提供するサーバ装置の電子クーポン提供プログラムであって、前記サーバ装置を、前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、前記設定条件受付手段によって受け付けられた値引き内容情報及び有効期間情報を商品識別情報と対応付けて格納する設定条件記憶手段と、前記店舗端末装置から、前記設定条件記憶手段に設定条件情報が格納されている電子クーポンの中から、少なくとも１の電子クーポンを使用可能とする旨の指示情報を受け付ける使用店舗受付手段として機能させ、前記使用店舗受付手段が、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴としている。
【００１０】
請求項１１に記載の電子クーポン提供システムは、複数のメーカにそれぞれ配設されたメーカ端末装置と、複数の店舗にそれぞれ配設された店舗端末装置と、前記メーカ端末装置及び店舗端末装置と通信可能に接続され、前記複数の店舗の内、少なくとも１の店舗で利用可能な電子クーポンを提供する電子クーポン用サーバ装置とを備える電子クーポン提供システムであって、前記電子クーポン用サーバ装置が、前記メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報を受け付ける設定条件受付手段と、前記設定条件受付手段によって受け付けられた値引き内容情報及び有効期間情報を商品識別情報と対応付けて格納する設定条件記憶手段と、前記店舗端末装置から、前記設定条件記憶手段に設定条件情報が格納されている電子クーポンの中から、少なくとも１の電子クーポンを使用可能とする旨の指示情報を受け付ける使用店舗受付手段とを備え、前記使用店舗受付手段が、前記店舗端末装置から、当該店舗端末装置の配設されている店舗の識別情報である店舗識別情報を受け付けて、前記指示情報を受け付けた電子クーポンの商品識別情報に対応付けて前記設定条件記憶手段に格納することを特徴としている。
【００１１】
これらの発明によれば、設定条件受付手段によって、メーカ端末装置から、電子クーポンの設定条件情報として、対象とする商品の識別情報である商品識別情報、当該商品の値引き内容を表す値引き内容情報及び当該電子クーポンの使用可能な期間の情報である有効期間情報が受け付けられ、設定条件記憶手段に、設定条件受付手段によって受け付けられた値引き内容情報及び有効期間情報が商品識別情報と対応付けて格納される。
【００１２】
そして、使用店舗受付手段によって、店舗端末装置から、設定条件記憶手段に設定条件情報が格納されている電子クーポンの中から、少なくとも１の電子クーポンを使用可能とする旨の指示情報が受け付けられると共に、店舗端末装置から、当該店舗端末装置の配設されている店舗の識別情報である店舗識別情報が受信されて、設定条件記憶手段に、指示情報を受け付けた電子クーポンの商品識別情報に対応付けて店舗識別情報が格納される。
【００１３】
従って、店舗端末装置から、値引き内容情報及び有効期間情報が商品識別情報と対応付けて設定条件記憶手段に格納されている電子クーポンの中から、少なくとも１の電子クーポンを使用可能とする旨の指示情報が受け付けられ、当該店舗端末装置の配設されている店舗の識別情報である店舗識別情報が電子クーポンの商品識別情報に対応付けて設定条件記憶手段に格納されるため、電子クーポンの設定条件に関しての、メーカと店舗との合意のための処理に対する効果的な支援が可能となり、利便性が向上される。
【００１４】
すなわち、店舗端末装置からの使用可能とする旨の指示情報が受け付けられると、受け付けられた指示情報に対応する電子クーポンについて、メーカと店舗との合意が締結されたとして扱うことが可能になる。
【００１５】
請求項２に記載の電子クーポン用サーバ装置は、前記設定条件受付手段が、電子クーポンを使用可能な店舗として、前記複数の店舗の内、少なくとも１の店舗の店舗識別情報を受け付け、前記設定条件記憶手段に、前記商品識別情報と対応付けて格納することを特徴としている。
【００１６】
上記構成によれば、設定条件受付手段によって、電子クーポンを使用可能な店舗として、複数の店舗の内、少なくとも１の店舗の店舗識別情報が受け付けられ、設定条件記憶手段に、商品識別情報と対応付けて格納される。
【００１７】
従って、電子クーポンを使用可能な店舗として、少なくとも１の店舗の店舗識別情報が受け付けられ、商品識別情報と対応付けて格納されるため、使用可能な店舗としての、少なくとも１の（すなわち、特定の）店舗のみが電子クーポンを使用することが可能となり、メーカ側からの電子クーポンの使用に関する制約条件が効果的に設定され、更に利便性が向上される。
【００１８】
請求項３に記載の電子クーポン用サーバ装置は、地域毎の識別情報である地域識別情報に対応付けて、その地域に配設されている店舗の店舗識別情報を格納する店舗記憶手段を備え、前記設定条件受付手段が、電子クーポンを使用可能な地域として、少なくとも１の地域の地域識別情報を受け付け、前記設定条件記憶手段に、前記商品識別情報と対応付けて格納することを特徴としている。
【００１９】
上記構成によれば、店舗記憶手段に、地域毎の識別情報である地域識別情報に対応付けて、その地域に配設されている店舗の店舗識別情報が格納されており、設定条件受付手段によって、電子クーポンを使用可能な地域として、少なくとも１の地域の地域識別情報が受け付けられ、設定条件記憶手段に、商品識別情報と対応付けて格納される。
【００２０】
従って、電子クーポンを使用可能な地域として、少なくとも１の地域の地域識別情報が受け付けられ、商品識別情報と対応付けて格納されるため、電子クーポンを使用可能な店舗が、その配設されている地域で限定された電子クーポンを設定することが可能となり、更に利便性が向上される。
【００２１】
請求項４に記載の電子クーポン用サーバ装置は、前記店舗端末装置から、前記店舗識別情報を受け付けて、受け付けられた店舗識別情報に対応する店舗で使用可能な電子クーポンの設定条件情報を前記設定条件記憶手段から抽出すると共に、抽出された電子クーポンの設定条件情報を前記店舗端末装置へ送信するクーポン抽出手段を備えることを特徴としている。
【００２２】
上記構成によれば、クーポン抽出手段によって、店舗端末装置から、店舗識別情報が受け付けられて、受け付けられた店舗識別情報に対応する店舗で使用可能な電子クーポンの設定条件情報が設定条件記憶手段から抽出されると共に、抽出された電子クーポンの設定条件情報が店舗端末装置へ送信される。
【００２３】
従って、店舗識別情報が受け付けられて、受け付けられた店舗識別情報に対応する店舗で使用可能な電子クーポンの設定条件情報が抽出されると共に、抽出された電子クーポンの設定条件情報が店舗端末装置へ送信されるため、店舗端末装置から当該店舗端末装置が配設されている店舗で使用可能な電子クーポンの設定条件情報が容易に取得され、利便性が更に向上される。
【００２４】
請求項５に記載の電子クーポン用サーバ装置は、商品毎に、その商品を分類する情報である商品分類情報と、その商品のメーカの識別情報であるメーカ識別情報とをその商品の商品識別情報と対応付けて格納する商品記憶手段を備え、前記クーポン抽出手段は、前記店舗端末装置から、前記メーカ識別情報及び商品分類情報の少なくとも一方を受け付けて、受け付けられた情報に対応する商品識別情報を前記商品記憶手段から読み出して、読み出された商品識別情報に対応する設定条件情報を設定条件記憶手段から読み出して、読み出された設定条件情報を当該店舗端末装置に対して送信することを特徴としている。
【００２５】
上記構成によれば、商品記憶手段に、商品毎に、その商品を分類する情報である商品分類情報と、その商品のメーカの識別情報であるメーカ識別情報とがその商品の商品識別情報と対応付けて格納されており、クーポン抽出手段によって、店舗端末装置から、メーカ識別情報及び商品分類情報の少なくとも一方が受け付けられて、受け付けられた情報に対応する商品識別情報が商品記憶手段から読み出されて、読み出された商品識別情報に対応する設定条件情報が設定条件記憶手段から読み出されて、読み出された設定条件情報が当該店舗端末装置に対して送信される。
【００２６】
従って、店舗端末装置から、メーカ識別情報及び商品分類情報の少なくとも一方が受け付けられて、受け付けられた情報に対応する設定条件情報が当該店舗端末装置に対して送信されるため、設定条件情報が容易に取得され、利便性が更に向上される。
【００２７】
請求項６に記載の電子クーポン用サーバ装置は、前記クーポン抽出手段が、前記店舗端末装置から、要求する値引き内容を表す要求値引き内容情報を受け付けて、受け付けられた要求値引き内容情報を満たす設定条件情報を設定条件記憶手段から読み出し、読み出された設定条件情報を当該店舗端末装置に対して送信することを特徴としている。
【００２８】
上記構成によれば、クーポン抽出手段によって、店舗端末装置から、要求する値引き内容を表す要求値引き内容情報が受け付けられて、受け付けられた要求値引き内容情報を満たす設定条件情報が設定条件記憶手段から読み出され、読み出された設定条件情報が当該店舗端末装置に対して送信される。
【００２９】
従って、店舗端末装置から、要求する値引き内容を表す要求値引き内容情報が受け付けられて、受け付けられた要求値引き内容情報を満たす設定条件情報が当該店舗端末装置に対して送信されるため、要求値引き内容情報を満たす設定条件情報が容易に取得され、利便性が更に向上される。
【００３０】
請求項７に記載の電子クーポン用サーバ装置は、前記店舗端末装置から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報を受け付ける要求条件受付手段と、前記要求条件受付手段によって受け付けられた要求商品識別情報、要求値引き内容情報及び要求有効期間情報を店舗識別情報と対応付けて格納する要求条件記憶手段とを備えることを特徴としている。
【００３１】
上記構成によれば、要求条件受付手段によって、店舗端末装置から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報が受け付けられる。そして、要求条件受付手段によって受け付けられた要求商品識別情報、要求値引き内容情報及び要求有効期間情報が店舗識別情報と対応付けて要求条件記憶手段に格納される。
【００３２】
従って、店舗端末装置から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報が受け付けられ、受け付けられた要求商品識別情報、要求値引き内容情報及び要求有効期間情報が店舗識別情報と対応付けて格納されるため、店舗が発行を所望する電子クーポンの設定条件である要求設定条件情報として要求商品識別情報、要求値引き内容情報及び要求有効期間情報が店舗識別情報と対応付けて容易に登録され、利便性が更に向上される。
【００３３】
請求項８に記載の電子クーポン用サーバ装置は、前記商品識別情報と、その商品のメーカの識別情報であるメーカ識別情報とを対応付けて格納するメーカ記憶手段と、前記要求条件記憶手段に格納された商品識別情報に対応するメーカ識別情報を前記メーカ記憶手段から読み出して、読み出されたメーカ識別情報に対応するメーカ端末装置に対して、前記要求設定条件情報を送信する要求条件送信手段とを備えることを特徴としている。
【００３４】
上記構成によれば、メーカ記憶手段に、商品識別情報と、その商品のメーカの識別情報であるメーカ識別情報とが対応付けて格納されている。そして、要求条件送信手段によって、要求条件記憶手段に格納された商品識別情報に対応するメーカ識別情報がメーカ記憶手段から読み出されて、読み出されたメーカ識別情報に対応するメーカ端末装置に対して、要求設定条件情報が送信される。
【００３５】
従って、要求条件記憶手段に格納された商品識別情報に対応するメーカ識別情報が読み出されて、読み出されたメーカ識別情報に対応するメーカ端末装置に対して、要求設定条件情報が送信されるため、要求設定条件情報が登録された商品識別情報に対応するメーカ端末装置に対して、容易に要求設定条件情報が送信され、利便性が更に向上される。
【００３６】
請求項９に記載の電子クーポン用サーバ装置は、前記メーカ端末装置から、前記要求設定条件情報に対応する応答情報として、少なくとも前記値引き内容情報及び有効期間情報の一方を受け付けて、前記要求条件記憶手段に店舗識別情報と対応付けて格納する応答受付手段と、前記応答情報が受け付けられた場合に、前記要求条件記憶手段から、当該応答情報に対応する店舗識別情報を読み出して、読み出された店舗識別情報に対応する店舗端末装置に対して、前記応答情報を送信する応答送信手段とを備えることを特徴としている。
【００３７】
上記構成によれば、応答受付手段によって、メーカ端末装置から、要求設定条件情報に対応する応答情報として、少なくとも値引き内容情報及び有効期間情報の一方が受け付けられて、要求条件記憶手段に店舗識別情報と対応付けて格納される。そして、応答情報が受け付けられた場合に、応答送信手段によって、要求条件記憶手段から、当該応答情報に対応する店舗識別情報が読み出されて、読み出された店舗識別情報に対応する店舗端末装置に対して、応答情報が送信される。
【００３８】
従って、メーカ端末装置から、要求設定条件情報に対応する応答情報として、少なくとも値引き内容情報及び有効期間情報の一方が受け付けられて、当該応答情報に対応する店舗識別情報が読み出されて、読み出された店舗識別情報に対応する店舗端末装置に対して、応答情報が送信されるため、要求設定条件情報に対応する応答情報がその要求設定条件情報を登録した店舗端末装置に容易に送信され、利便性が更に向上される。
【発明の効果】
【００３９】
請求項１、１０、１１に記載の発明によれば、店舗端末装置から、値引き内容情報及び有効期間情報が商品識別情報と対応付けて設定条件記憶手段に格納されている電子クーポンの中から、少なくとも１の電子クーポンを使用可能とする旨の指示情報が受け付けられ、当該店舗端末装置の配設されている店舗の識別情報である店舗識別情報が電子クーポンの商品識別情報に対応付けて設定条件記憶手段に格納されるため、電子クーポンの設定条件に関しての、メーカと店舗との合意のための処理に対する効果的な支援が可能となり、利便性を向上できる。
【００４０】
請求項２に記載の発明によれば、電子クーポンを使用可能な店舗として、少なくとも１の店舗の店舗識別情報が受け付けられ、商品識別情報と対応付けて格納されるため、使用可能な店舗としての、少なくとも１の（すなわち、特定の）店舗のみが電子クーポンを使用することが可能となり、メーカ側からの電子クーポンの使用に関する制約条件が効果的に設定され、更に利便性を向上できる。
【００４１】
請求項３に記載の発明によれば、電子クーポンを使用可能な地域として、少なくとも１の地域の地域識別情報が受け付けられ、商品識別情報と対応付けて格納されるため、電子クーポンを使用可能な店舗が、その配設されている地域で限定された電子クーポンを設定することが可能となり、更に利便性を向上できる。
【００４２】
請求項４に記載の発明によれば、店舗識別情報が受け付けられて、受け付けられた店舗識別情報に対応する店舗で使用可能な電子クーポンの設定条件情報が抽出されると共に、抽出された電子クーポンの設定条件情報が店舗端末装置へ送信されるため、店舗端末装置から当該店舗端末装置が配設されている店舗で使用可能な電子クーポンの設定条件情報が容易に取得され、更に利便性を向上できる。
【００４３】
請求項５に記載の発明によれば、店舗端末装置から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報が受け付けられ、受け付けられた要求商品識別情報、要求値引き内容情報及び要求有効期間情報が店舗識別情報と対応付けて格納されるため、店舗が発行を所望する電子クーポンの設定条件である要求設定条件情報として要求商品識別情報、要求値引き内容情報及び要求有効期間情報が店舗識別情報と対応付けて容易に登録され、更に利便性を向上できる。
【００４４】
請求項６に記載の発明によれば、店舗端末装置から、要求する値引き内容を表す要求値引き内容情報が受け付けられて、受け付けられた要求値引き内容情報を満たす設定条件情報が当該店舗端末装置に対して送信されるため、要求値引き内容情報を満たす設定条件情報が容易に取得され、更に利便性を向上できる。
【００４５】
請求項７に記載の発明によれば、店舗端末装置から、メーカ識別情報及び商品分類情報の少なくとも一方が受け付けられて、受け付けられた情報に対応する設定条件情報が当該店舗端末装置に対して送信されるため、設定条件情報が容易に取得され、更に利便性を向上できる。
【００４６】
請求項８に記載の発明によれば、要求条件記憶手段に格納された商品識別情報に対応するメーカ識別情報が読み出されて、読み出されたメーカ識別情報に対応するメーカ端末装置に対して、要求設定条件情報が送信されるため、要求設定条件情報が登録された商品識別情報に対応するメーカ端末装置に対して、容易に要求設定条件情報が送信され、更に利便性を向上できる。
【００４７】
請求項９に記載の発明によれば、メーカ端末装置から、要求設定条件情報に対応する応答情報として、少なくとも値引き内容情報及び有効期間情報の一方が受け付けられて、当該応答情報に対応する店舗識別情報が読み出されて、読み出された店舗識別情報に対応する店舗端末装置に対して、応答情報が送信されるため、要求設定条件情報に対応する応答情報がその要求設定条件情報を登録した店舗端末装置に容易に送信され、更に利便性を向上できる。
【発明を実施するための最良の形態】
【００４８】
以下、本発明に係る電子クーポン提供システムの実施形態を図面に基づいて説明する。図１は、本発明に係る電子クーポン提供システムの一例を示す構成図である。電子クーポン提供システムは、複数のメーカにそれぞれ配設されたメーカ端末装置１と、複数の店舗にそれぞれ配設された店舗端末装置２と、店舗端末装置２とＬＡＮ等のネットワークを介して通信可能に接続されたＰＯＳ端末３と、メーカ端末装置１及び店舗端末装置２とインターネット等のネットワークを介して通信可能に接続されたサーバ装置４（電子クーポン用サーバ装置に相当する）と、電子クーポンのユーザによって携帯される携帯電話機５とを備えている。
【００４９】
メーカ端末装置１は、複数のメーカにそれぞれ配設され、インターネット等のネットワークを介してサーバ装置４と通信可能に接続されたパーソナルコンピュータ（ＰＣ）等からなり、オペレータ等による操作入力に基づいて電子クーポンの設定条件情報等を受け付けるものである。
【００５０】
店舗端末装置２は、複数の店舗にそれぞれ配設され、インターネット等のネットワークを介してサーバ装置４と通信可能に接続されたパーソナルコンピュータ（ＰＣ）等からなり、オペレータ等による操作入力に基づいて電子クーポンを使用可能とする旨の指示情報等を受け付けるものである。
【００５１】
ＰＯＳ端末３は、各店舗に少なくとも１台配設され、ＬＡＮ等のネットワークを介して店舗端末装置２と通信可能に接続されたパーソナルコンピュータ（ＰＣ）、バーコード読み取り装置等からなり、携帯電話機５から電子クーポンの設定条件情報等を受け付けるものである。
【００５２】
サーバ装置４は、電子クーポンの管理会社等に配設され、インターネット等のネットワークを介してメーカ端末装置１及び店舗端末装置２と通信可能に接続されたサーバ装置であって、メーカ端末装置１から電子クーポンの設定条件情報等を受け付ける等の電子クーポンに関する種々の処理を行うものである。
【００５３】
携帯電話機５は、基地局５ａ及びインターネット等のネットワークを介してサーバ装置４と通信可能に接続され、サーバ装置４から電子クーポンの設定条件情報等を受信すると共に、ＰＯＳ端末３に電子クーポンの設定条件情報等を送信するものである。
【００５４】
図２は、本発明に係るサーバ装置４の一例を示す構成図である。サーバ装置４は、サーバ装置４全体の動作を制御する制御部４１と、外部からの操作入力を受け付ける操作部４２と、種々の情報を表示するＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等からなるモニタ４３と、種々の情報を格納するＨＤＤ（Ｈａｒｄ  Ｄｉｓｋ  Ｄｒｉｖｅ）４４と、インターネット等のネットワークを介してメーカ端末装置１及び店舗端末装置２と種々の情報を通信する通信制御部４５と、これらを通信可能に接続するバスＢＡ３とを備えている。
【００５５】
制御部４１は、情報処理部（ＣＰＵ：Ｃｅｎｔｒａｌ  Ｐｒｏｃｅｓｓｉｎｇ  Ｕｎｉｔ）４１１と、処理途中の情報等を一時的に格納するＲＡＭ（Ｒａｎｄｏｍ  Ａｃｃｅｓｓ  Ｍｅｍｏｒｙ）４１２とを備える。
【００５６】
操作部４２は、キーボード、マウス等からなり、オペレータ等からの操作入力を受け付けて、操作信号を生成し、Ｉ／Ｆ部４２１を介して、制御部４１に対して、操作情報を出力するものである。
【００５７】
描画処理部４３１は制御部４１からの画像表示指示に従って所要の画像をモニタ４３に表示させるもので、ビデオＲＡＭ等を備える。Ｉ／Ｆ部４４１は、制御部４１からの書込み（または読み出し）指示に従って種々の情報をＨＤＤ４４に書込む（またはＨＤＤ４４から読み出す）ものである。
【００５８】
ＣＰＵ４１１は、ＨＤＤ４４に記録されているオペレーティングシステム（ＯＳ）に基づいて、ＨＤＤ４４から制御プログラムデータ等を読み出す。制御プログラムデータ等の一部若しくは全部は、ＲＡＭ４１２上に保持される。以降、ＣＰＵ４１１は、ＲＡＭ４１２上に記憶されている制御プログラム等に基づいて、処理が進行される。
【００５９】
ＨＤＤ４４に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００６０】
図３は、サーバ装置４の主要部の一例を示す機能構成図である。サーバ装置４のＣＰＵ４１１は、メーカ端末装置１から電子クーポンの設定条件を受け付ける設定条件受付部４１１ａ（設定条件受付手段に相当する）と、店舗端末装置２から電子クーポンを使用可能とする旨の指示情報を受け付ける使用店舗受付部４１１ｂ（使用店舗受付手段に相当する）と、店舗端末装置２に対して使用可能な電子クーポンを抽出して、その設定条件情報を送信するクーポン抽出部４１１ｃ（クーポン抽出手段に相当する）と、店舗端末装置２から電子クーポンの要求設定条件を受け付ける要求条件受付部４１１ｄ（要求条件受付手段に相当する）と、メーカ端末装置１に対して電子クーポンの要求設定条件を送信する要求条件送信部４１１ｅ（要求条件送信手段に相当する）とを備えている。
【００６１】
更に、サーバ装置４のＣＰＵ４１１は、メーカ端末装置１から電子クーポンの要求設定条件に対応する応答情報を受け付ける応答受付部４１１ｆ（応答受付手段に相当する）と、店舗端末装置２に対して電子クーポンの要求設定条件に対応する応答情報を送信する応答情報送信部４１１ｇ（応答送信手段に相当する）と、店舗端末装置２から電子クーポンの選定条件を受け付けて、携帯電話機５に対して電子クーポンの使用許可情報を送信する使用許可部４１１ｈと、店舗端末装置２から電子クーポンの使用実績情報を取得する使用実績取得部４１１ｉとを備えている。
【００６２】
また、サーバ装置４のＨＤＤ４４は、設定条件情報を格納する設定条件記憶部４４ａ（設定条件記憶手段に相当する）と、店舗に関する情報を格納する店舗記憶部４４ｂ（店舗記憶手段に相当する）と、要求設定条件情報を格納する要求条件記憶部４４ｃ（要求条件記憶手段に相当する）と、メーカに関する情報を格納するメーカ記憶部４４ｄ（メーカ記憶手段に相当する）と、商品に関する情報を格納する商品記憶部４４ｅ（商品記憶手段に相当する）とを備えている。
【００６３】
ここで、ＣＰＵ４１１及びＨＤＤ４４は、ＣＰＵ４１１がＨＤＤ４４に格納された制御プログラムを読み出して実行することにより、それぞれ、設定条件受付部４１１ａ、使用店舗受付部４１１ｂ、クーポン抽出部４１１ｃ等、及び、設定条件記憶部４４ａ、店舗記憶部４４ｂ、要求条件記憶部４４ｃ等として機能するものである。
【００６４】
設定条件受付部４１１ａは、メーカ端末装置１から、電子クーポンの設定条件情報として、対象とする商品の識別情報である商品識別情報、当該商品の値引き内容を表す値引き内容情報、当該電子クーポンの使用可能な期間の情報である有効期間情報、及び、当該電子クーポンを使用可能な地域の地域識別情報とを受け付けて、設定条件記憶部４４ａに格納するものである。
【００６５】
使用店舗受付部４１１ｂは、店舗端末装置２から、設定条件記憶部４４ａに設定条件情報が格納されている電子クーポンの中から、少なくとも１の電子クーポンを、当該店舗端末装置２が配設されている店舗で使用可能とする旨の指示情報を受け付けるものである。
【００６６】
また、使用店舗受付部４１１ｂは、店舗端末装置２から、当該店舗端末装置２の配設されている店舗の識別情報である店舗識別情報を受け付けて、使用可能とする旨の指示情報を受け付けた電子クーポン（以下、使用確定クーポンという）の商品識別情報に対応付けて設定条件記憶部４４ａに格納するものである。
【００６７】
更に、使用店舗受付部４１１ｂは、使用確定クーポンに対応する商品のメーカに配設されているメーカ端末装置１に対して、使用確定クーポンの店舗識別情報を送信するものである。すなわち、使用確定クーポンに対応する商品の商品識別情報に基づいて、その商品のメーカのメーカ識別情報をメーカ記憶部４４ｄを参照して選定し、設定されたメーカ識別情報に対応するメーカ端末装置１に対して使用確定クーポンの店舗識別情報を送信するものである。
【００６８】
クーポン抽出部４１１ｃは、店舗端末装置２から、その店舗端末装置２が配設されている店舗の店舗識別情報を受け付けて、受け付けられた店舗識別情報に対応する店舗で使用可能な電子クーポンの設定条件情報を設定条件記憶部４４ａから抽出すると共に、抽出された電子クーポンの設定条件情報を店舗端末装置２へ送信するものである。
【００６９】
また、クーポン抽出部４１１ｃは、店舗端末装置２（又は携帯電話機５）から、検索条件を受け付けて、受け付けられた検索条件を満たす電子クーポンの設定条件情報を設定条件記憶部４４ａから抽出すると共に、抽出された電子クーポンの設定条件情報を店舗端末装置２（又は携帯電話機５）へ送信するものである。検索条件を規定する項目としては、例えば、図２１に示す画面図に示すように、メーカ名、商品種別、商品名、割引率（割引額）等である。
【００７０】
更に、クーポン抽出部４１１ｃは、店舗端末装置２（又は携帯電話機５）から、メーカの識別情報であるメーカ識別情報及び商品を分類する情報である商品分類情報の少なくとも一方を受け付けて、受け付けられた情報に対応する商品識別情報を商品記憶部４４ｅから読み出して、読み出された商品識別情報に対応する設定条件情報を設定条件記憶部４４ａから読み出して、読み出された設定条件情報を当該店舗端末装置２（又は携帯電話機５）に対して送信するものである。
【００７１】
要求条件受付部４１１ｄは、店舗端末装置２から、その店舗が発行を所望する電子クーポンの設定条件である要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報を受け付けるものである。
【００７２】
また、要求条件受付部４１１ｄは、店舗端末装置２から、受け付けた要求設定条件情報（要求商品識別情報、要求値引き内容情報及び要求有効期間情報）を、その店舗端末装置２が配設されている店舗の店舗識別情報と対応付けて、要求条件記憶部４４ｃに格納するものである。
【００７３】
要求条件送信部４１１ｅは、要求条件記憶部４４ｃに格納された商品識別情報に対応するメーカ識別情報をメーカ記憶部４４ｄから読み出して、読み出されたメーカ識別情報に対応するメーカ端末装置１に対して、要求設定条件情報を送信するものである。
【００７４】
応答受付部４１１ｆは、メーカ端末装置１から、要求設定条件情報に対応する応答情報として、少なくとも値引き内容情報及び有効期間情報の一方を受け付けて、要求条件記憶部４４ｃに店舗識別情報と対応付けて格納するものである。
【００７５】
また、応答受付部４１１ｆは、メーカ端末装置１から受け付けた応答情報に基づいて、要求設定条件情報を更新し、更新した要求設定条件情報を設定条件情報として設定条件記憶部４４ａに格納するものである。
【００７６】
応答情報送信部４１１ｇは、応答受付部４１１ｆによって応答情報が受け付けられた場合に、要求条件記憶部４４ｃから、当該応答情報に対応する店舗識別情報を読み出して、読み出された店舗識別情報に対応する店舗端末装置２に対して、応答情報を送信するものである。
【００７７】
使用許可部４１１ｈは、携帯電話機５からの設定条件情報を送信する旨の要求に応じて、設定条件情報を送信すると共に、携帯電話機５からの電子クーポンを使用の許可を求める旨の要求に応じて、所定の条件を満たす場合に、携帯電話機５及び店舗端末装置２に対して要求のあった電子クーポンの使用許可情報を送信するものである。
【００７８】
上記所定の条件は、例えば、使用の許可を求める旨の要求があった電子クーポンについて、携帯電話機５に対して未だ当該電子クーポンを発行していない（同じ携帯電話機５に対する重複した発行ではない）ことであり、使用許可情報は、例えば、電子クーポン毎、及び、電子クーポンが発行される度に設定される識別情報（または、識別情報を表すバーコードである）である。
【００７９】
同じ携帯電話機５に対する重複した発行か否かは、ここでは、携帯電話機５の識別情報（ここでは、電話番号情報）によって判定するようにしている。すなわち、使用許可部４１１ｈは、携帯電話機５に対して使用許可情報を送信する際の条件として、当該携帯電話機５の電話番号を送信させて、その電話番号を設定条件記憶部４４ａに格納するものである。また、使用許可部４１１ｈは、使用の許可を求める旨の要求があった携帯電話機５の識別情報（ここでは、電話番号情報）と一致するものが、設定条件記憶部４４ａに格納された識別情報（ここでは、電話番号情報）に有るか否かによって判定するものである。
【００８０】
使用実績取得部４１１ｉは、店舗端末装置２から電子クーポンの使用実績情報を取得するものである。より具体的には、例えば、電子クーポン毎に、所定のタイミングで（ここでは、使用期限が終了したタイミングで）、店舗で使用された年月日、店舗で使用されたユーザから提示された使用許可情報を受信し、設定条件記憶部４４ａに格納するものである。
【００８１】
また、使用実績取得部４１１ｉは、電子クーポン毎に、各店舗で使用された年月日、使用されたユーザから提示された使用許可情報を、店舗の識別情報である店舗識別情報（店舗ＩＤ）と対応付けて、電子クーポンの発行元であるメーカのメーカ端末装置１に送信するものである。
【００８２】
設定条件記憶部４４ａは、電子クーポンの、対象とする商品の識別情報である商品識別情報、当該商品の値引き内容を表す値引き内容情報、当該電子クーポンの使用可能な期間の情報である有効期間情報、及び、当該電子クーポンを使用可能な地域の地域識別情報等を含む設定条件情報を、クーポン識別情報と対応付けて格納するものである。
【００８３】
また、設定条件記憶部４４ａは、使用店舗受付部４１１ｂによって使用可能とする旨の指示情報が受け付けられた店舗の店舗識別情報、使用許可部４１１ｈによって使用が許可された携帯電話機５の携帯電話番号情報、使用実績取得部４１１ｉによって受信された電子クーポンの使用された年月日情報等をクーポン識別情報と対応付けて格納するものである。
【００８４】
図４は、設定条件記憶部４４ａに格納される情報の一例を示す図表である。設定条件記憶部４４ａには、図４の上から順に示すように、電子クーポンの設定条件情報６０１と、電子クーポンを使用可能に登録された店舗の情報である使用店舗情報６０２と、電子クーポンの使用許可を取得した携帯電話機５の情報である使用携帯情報６０３とが、電子クーポンの識別情報であるクーポンＮｏ．に対応付けて格納されている。
【００８５】
設定条件情報６０１には、設定条件受付部４１１ａによって設定された、メーカの識別情報であるメーカＩＤ、メーカの呼称であるメーカ名、商品を分類する商品種別の識別情報である商品種別コード、商品を分類する商品種別の名称情報である商品分類情報（商品種別情報）、商品の識別情報である商品コード、商品の名称情報である商品名情報、電子クーポンの使用可能な期間の情報である有効期間情報（使用開始年月日情報、使用終了年月日情報）、電子クーポンを使用可能な地域の地域識別情報、電子クーポンを使用可能な地域の名称である地域名称情報、商品の値引き内容を表す割引額情報、割引率情報等が含まれている。
【００８６】
使用店舗情報６０２には、使用店舗受付部４１１ｂによって使用可能とする旨の指示情報が受け付けられた各店舗について、その店舗の識別情報である店舗識別情報（店舗ＩＤ）、店舗の名称情報である店舗名情報（店舗名）等が含まれている。
【００８７】
使用携帯情報６０３には、使用許可部４１１ｈによって使用の許可を求める旨の要求が受け付けられ、電子クーポンが発行された各携帯電話機５について、その携帯電話機５の番号情報である携帯電話番号情報、電子クーポンが発行される度に設定される識別情報（使用許可ＩＤ）、店舗で使用された年月日情報等が含まれている。
【００８８】
再び、図３に戻って、サーバ装置４の機能構成について説明する。店舗記憶部４４ｂは、地域毎の識別情報である地域識別情報に対応付けて、その地域に配設されている店舗の店舗識別情報を格納するものである。
【００８９】
要求条件記憶部４４ｃは、要求条件受付部４１１ｄによって受け付けられた要求商品識別情報、要求値引き内容情報及び要求有効期間情報を店舗識別情報と対応付けて格納するものである。
【００９０】
メーカ記憶部４４ｄは、商品識別情報と、その商品のメーカの識別情報であるメーカ識別情報とを対応付けて格納するものである。なお、ここでは、メーカ記憶部４４ｄには、予め商品識別情報と、その商品のメーカの識別情報であるメーカ識別情報とが対応付けて格納されている場合について説明する。ただし、メーカ端末装置１等から、商品識別情報と、その商品のメーカの識別情報であるメーカ識別情報とを受け付けて、メーカ記憶部４４ｄに格納する形態でもよい。
【００９１】
商品記憶部４４ｅは、商品毎に、その商品を分類する情報である商品分類情報と、その商品のメーカの識別情報であるメーカ識別情報とを、その商品の商品識別情報と対応付けて格納するものである。なお、ここでは、商品記憶部４４ｅには、予め商品毎に、その商品を分類する情報である商品分類情報と、その商品のメーカの識別情報であるメーカ識別情報とがその商品の商品識別情報と対応付けて格納されている場合について説明する。ただし、メーカ端末装置１等から、商品毎に、その商品を分類する情報である商品分類情報と、その商品のメーカの識別情報であるメーカ識別情報とを受け付けて、その商品の商品識別情報と対応付けて商品記憶部４４ｅに格納する形態でもよい。
【００９２】
図５は、メーカ端末装置１の一例を示す構成図である。メーカ端末装置１は、メーカ端末装置１全体の動作を制御する制御部１１と、外部からの操作入力を受け付ける操作部１２と、種々の情報を表示するＣＲＴ、ＬＣＤ等からなるモニタ１３と、種々の情報を格納するＨＤＤ１４と、インターネット等のネットワークを介してサーバ装置４と種々の情報を通信する通信制御部１５と、これらを通信可能に接続するバスＢＡ１とを備えている。
【００９３】
制御部１１は、情報処理部（ＣＰＵ）１１１と、処理途中の情報等を一時的に格納するＲＡＭ１１２とを備える。操作部１２は、キーボード、マウス等からなり、オペレータ等からの操作入力を受け付けて、操作信号を生成し、Ｉ／Ｆ部１２１を介して、制御部１１に対して、操作情報を出力するものである。
【００９４】
描画処理部１３１は制御部１１からの画像表示指示に従って所要の画像をモニタ１３に表示させるもので、ビデオＲＡＭ等を備える。Ｉ／Ｆ部１４１は、制御部１１からの書込み（または読み出し）指示に従って種々の情報をＨＤＤ１４に書込む（またはＨＤＤ１４から読み出す）ものである。
【００９５】
ＣＰＵ１１１は、ＨＤＤ１４に記録されているオペレーティングシステム（ＯＳ）に基づいて、ＨＤＤ１４から制御プログラムデータ等を読み出す。制御プログラムデータ等の一部若しくは全部は、ＲＡＭ１１２上に保持される。以降、ＣＰＵ１１１は、ＲＡＭ１１２上に記憶されている制御プログラム等に基づいて、処理が進行される。
【００９６】
ＨＤＤ１４に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００９７】
図６は、メーカ端末装置１の主要部の一例を示す機能構成図である。メーカ端末装置１のＣＰＵ１１１は、設定条件を生成する設定条件生成部１１１ａと、サーバ装置４から電子クーポンを使用可能とする旨の指示情報を受信する使用店舗受付部１１１ｂと、サーバ装置４から要求設定条件情報を受信する要求条件受付部１１１ｃと、要求設定条件に対する応答情報を生成する応答情報生成部１１１ｄとを備えている。メーカ端末装置１のＨＤＤ１４は、設定条件情報を格納する設定条件記憶部１４ａと、要求設定条件情報を格納する要求条件記憶部１４ｂとを備えている。
【００９８】
ここで、ＣＰＵ１１１及びＨＤＤ１４は、ＣＰＵ１１１がＨＤＤ１４に格納された制御プログラムを読み出して実行することにより、それぞれ、設定条件生成部１１１ａ、使用店舗受付部１１１ｂ、要求条件受付部１１１ｃ等、及び、設定条件記憶部１４ａ、要求条件記憶部１４ｂ等として機能するものである。
【００９９】
設定条件生成部１１１ａは、操作部１２を介してオペレータ等による操作入力を受け付けて、電子クーポンの設定条件を生成すると共に、生成された設定条件をサーバ装置４（設定条件受付部４１１ａ）に送信するものである。また、設定条件生成部１１１ａは、生成された設定条件を設定条件記憶部１４ａに格納するものである。
【０１００】
具体的には、設定条件生成部１１１ａは、モニタ１３に図１８に示す設定条件個別登録画面７００（または、図１９に示す設定条件一括登録画面７１０）を表示して、操作部１２を介してオペレータ等による操作入力を受け付けて、電子クーポンの設定条件を生成するものである。
【０１０１】
使用店舗受付部１１１ｂは、サーバ装置４から設定条件生成部１１１ａによって生成された電子クーポンを使用可能とする旨の指示情報を受信するものである。より具体的には、設定条件生成部１１１ａによって生成された電子クーポンの内、サーバ装置４の使用店舗受付部４１１ｂから送信される使用確定クーポンの店舗識別情報を受信して、設定条件記憶部１４ａに格納するものである。
【０１０２】
要求条件受付部１１１ｃは、サーバ装置４の要求条件送信部４１１ｅから要求条件記憶部４４ｃに格納された要求設定条件情報を受信し、要求条件記憶部１４ｂに格納するものである。
【０１０３】
応答情報生成部１１１ｄは、操作部１２を介してオペレータ等による操作入力を受け付けて、要求条件受付部１１１ｃによって受信された電子クーポンの要求設定条件情報に対応する応答情報を生成すると共に、生成された応答情報をサーバ装置４（応答受付部４１１ｆ）に送信するものである。また、応答情報生成部１１１ｄは、生成された応答情報を要求条件記憶部１４ｂに格納するものである。
【０１０４】
設定条件記憶部１４ａは、使用店舗受付部１１１ｂによって受信された使用確定クーポンの店舗識別情報を、設定条件生成部１１１ａによって生成された設定条件情報と対応付けて格納するものである。
【０１０５】
要求条件記憶部１４ｂは、応答情報生成部１１１ｄによって生成された応答情報を、要求条件受付部１１１ｃによって受信された要求設定条件情報と対応付けて格納するものである。
【０１０６】
図７は、店舗端末装置２の一例を示す構成図である。店舗端末装置２は、店舗端末装置２全体の動作を制御する制御部２１と、外部からの操作入力を受け付ける操作部２２と、種々の情報を表示するＣＲＴ、ＬＣＤ等からなるモニタ２３と、種々の情報を格納するＨＤＤ２４と、インターネット等のネットワークを介してサーバ装置４と種々の情報を通信すると共に、ＬＡＮ等のネットワークを介してＰＯＳ端末３と種々の情報を通信する通信制御部２５と、これらを通信可能に接続するバスＢＡ２とを備えている。
【０１０７】
制御部２１は、情報処理部（ＣＰＵ）２１１と、処理途中の情報等を一時的に格納するＲＡＭ２１２とを備える。操作部２２は、キーボード、マウス等からなり、オペレータ等からの操作入力を受け付けて、操作信号を生成し、Ｉ／Ｆ部２２１を介して、制御部２１に対して、操作情報を出力するものである。
【０１０８】
描画処理部２３１は制御部２１からの画像表示指示に従って所要の画像をモニタ２３に表示させるもので、ビデオＲＡＭ等を備える。Ｉ／Ｆ部２４１は、制御部２１からの書込み（または読み出し）指示に従って種々の情報をＨＤＤ２４に書込む（またはＨＤＤ２４から読み出す）ものである。
【０１０９】
ＣＰＵ２１１は、ＨＤＤ２４に記録されているオペレーティングシステム（ＯＳ）に基づいて、ＨＤＤ２４から制御プログラムデータ等を読み出す。制御プログラムデータ等の一部若しくは全部は、ＲＡＭ２１２上に保持される。以降、ＣＰＵ２１１は、ＲＡＭ２１２上に記憶されている制御プログラム等に基づいて、処理が進行される。
【０１１０】
ＨＤＤ２４に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【０１１１】
図８は、店舗端末装置２の主要部の一例を示す機能構成図である。店舗端末装置２のＣＰＵ２１１は、電子クーポンを使用可能とする旨の指示情報を受け付ける使用クーポン設定部２１１ａと、電子クーポンの検索条件を受け付ける抽出条件設定部２１１ｂと、抽出された電子クーポンの設定条件情報を受け付ける抽出結果受付部２１１ｃと、発行を所望する電子クーポンの設定条件を受け付ける要求条件設定部２１１ｄと、応答情報を受信する応答情報受付部２１１ｅと、携帯電話機５から使用許可情報を受け付けてクーポンの使用可否を判定するクーポン情報判定部２１１ｆとを備えている。店舗端末装置２のＨＤＤ２４は、設定条件情報を格納する設定条件記憶部２４ａと、要求設定条件情報を格納する要求条件記憶部２４ｂとを備えている。
【０１１２】
ここで、ＣＰＵ２１１及びＨＤＤ２４は、ＣＰＵ２１１がＨＤＤ２４に格納された制御プログラムを読み出して実行することにより、それぞれ、使用クーポン設定部２１１ａ、抽出条件設定部２１１ｂ、抽出結果受付部２１１ｃ等、及び、設定条件記憶部２４ａ、要求条件記憶部２４ｂとして機能するものである。
【０１１３】
使用クーポン設定部２１１ａは、操作部２２を介してオペレータ等による操作入力に基づいて、サーバ装置４の設定条件記憶部４４ａに格納されている設定条件情報を取得して設定条件記憶部２４ａに格納すると共に、格納されている電子クーポンの中から、少なくとも１の電子クーポンを使用可能とする旨の指示情報を受け付けて、サーバ装置４の使用店舗受付部４１１ｂに対して指示情報を送信するものである。
【０１１４】
また、使用クーポン設定部２１１ａは、抽出結果受付部２１１ｃによってモニタ２３に表示された図２２に示す検索結果画面７４０を参照して、操作部２２を介してオペレータ等による操作入力に基づいて、検索結果画面７４０に表示された電子クーポンの内、少なくとも１の電子クーポンを使用可能とする旨の指示情報を受け付けて、サーバ装置４の使用店舗受付部４１１ｂに対して指示情報を送信するものである。
【０１１５】
抽出条件設定部２１１ｂは、操作部２２を介してオペレータ等による操作入力に基づいて、モニタ２３に図２１に示す検索条件設定画面７３０を表示し、操作部２２を介してオペレータ等による操作入力に基づいて、電子クーポンを検索する条件を設定し、サーバ装置４のクーポン抽出部４１１ｃへ送信するものである。
【０１１６】
抽出結果受付部２１１ｃは、サーバ装置４のクーポン抽出部４１１ｃから、抽出条件設定部２１１ｂによって設定された検索条件を満たす電子クーポンの設定条件情報を受信すると共に、モニタ２３に図２２に示す検索結果画面７４０を表示するものである。また、抽出結果受付部２１１ｃは、サーバ装置４のクーポン抽出部４１１ｃから受信した設定条件情報を設定条件記憶部２４ａに格納するものである。
【０１１７】
要求条件設定部２１１ｄは、操作部２２を介してオペレータ等による操作入力に基づいて、モニタ２３に図２４に示す要求条件入力画面７６０を表示すると共に、操作部２２を介してオペレータ等による操作入力に基づいて、その店舗が発行を所望する電子クーポンの設定条件である要求設定条件を受け付けて、サーバ装置４の要求条件受付部４１１ｄへ送信するものである。また、要求条件設定部２１１ｄは、受け付けた要求設定条件情報を要求条件記憶部２４ｂへ格納するものである。
【０１１８】
応答情報受付部２１１ｅは、操作部２２を介してオペレータ等による操作入力に基づいて、サーバ装置４の応答情報送信部４１１ｇから応答情報を受信すると共に、要求条件と対応付けて要求条件記憶部２４ｂに格納するものである。
【０１１９】
クーポン情報判定部２１１ｆは、サーバ装置４の使用許可部４１１ｈから電子クーポンの使用許可情報を受信し、設定条件記憶部２４ａに格納すると共に、ＰＯＳ端末３を介して携帯電話機５から使用許可情報を受け付けて、受け付けた使用許可情報に基づいてクーポンの使用可否を判定して、ＰＯＳ端末３に判定結果を送信するものである。
【０１２０】
すなわち、クーポン情報判定部２１１ｆは、ＰＯＳ端末３を介して携帯電話機５から受け付けた使用許可情報が、設定条件記憶部２４ａに格納されている場合には、使用可能であると判定し、設定条件記憶部２４ａに格納されていない場合には、使用可能ではないと判定するものである。
【０１２１】
設定条件記憶部２４ａは、使用クーポン設定部２１１ａ、抽出結果受付部２１１ｃによってサーバ装置４から受信された設定条件情報を格納するものである。要求条件記憶部２４ｂは、応答情報受付部２１１ｅによってサーバ装置４から受信された応答情報を、要求条件設定部２１１ｄによって設定された要求設定条件情報と対応付けて格納するものである。
【０１２２】
図９は、ＰＯＳ端末３の一例を示す構成図である。ＰＯＳ端末３は、ＰＯＳ端末３全体の動作を制御する制御部３１と、外部からの操作入力を受け付ける操作部３２と、種々の情報を表示するＣＲＴ、ＬＣＤ等からなるモニタ３３と、種々の情報を格納するＨＤＤ３４と、レシートを印刷するレシートプリンタ３５と、商品に印刷されているバーコードを読み取るバーコードリーダ３６と、携帯電話機５から使用許可情報を取得するクーポンリーダ３７と、ＬＡＮ等のネットワークを介して店舗端末装置２と種々の情報を通信する通信制御部３８と、これらを通信可能に接続するバスＢＡ３とを備えている。クーポンリーダ３７は、例えば、赤外線信号（又は、ＩＣカードリーダを含む種々のメモリリーダ等）を介して携帯電話機５から使用許可情報を取得するものである。
【０１２３】
ＰＯＳ端末３は、クーポンリーダ３７を介して携帯電話機５から使用許可情報を取得し、通信制御部３８を介して店舗端末装置２（クーポン情報判定部２１１ｆ）に使用許可情報を送信すると共に、店舗端末装置２（クーポン情報判定部２１１ｆ）から使用可否の判定結果を受信して、モニタ３３に表示するものである。
【０１２４】
制御部３１は、情報処理部（ＣＰＵ）３１１と、処理途中の情報等を一時的に格納するＲＡＭ３１２とを備える。操作部３２は、キーボード、マウス等からなり、オペレータ等からの操作入力を受け付けて、操作信号を生成し、Ｉ／Ｆ部３２１を介して、制御部３１に対して、操作情報を出力するものである。
【０１２５】
描画処理部３３１は制御部３１からの画像表示指示に従って所要の画像をモニタ３３に表示させるもので、ビデオＲＡＭ等を備える。Ｉ／Ｆ部３４１は、制御部３１からの書込み（または読み出し）指示に従って種々の情報をＨＤＤ３４に書込む（またはＨＤＤ３４から読み出す）ものである。
【０１２６】
外部機器入出力部３５１は、制御部３１とレシートプリンタ３５、バーコードリーダ３６、及びクーポンリーダ３７を含む機器の間で、検出信号を処理用のディジタル信号に変換し、また指令情報を各機器に対して制御信号に変換して出力するもので、かかる信号処理と入出力処理とを例えば時分割的に行うものである。外部機器入出力部３５１は、それぞれの時分割期間内に各機器への制御信号の出力動作と、各機器からの検出信号の入力動作とを行うものである。
【０１２７】
ＣＰＵ３１１は、ＨＤＤ３４に記録されているオペレーティングシステム（ＯＳ）に基づいて、ＨＤＤ３４から制御プログラムデータ等を読み出す。制御プログラムデータ等の一部若しくは全部は、ＲＡＭ３１２上に保持される。以降、ＣＰＵ３１１は、ＲＡＭ３１２上に記憶されている制御プログラム等に基づいて、処理が進行される。
【０１２８】
ＨＤＤ３４に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【０１２９】
図１０は、携帯電話機５の主要部の一例を示す機能構成図である。携帯電話機５は、情報処理部（ＣＰＵ）５１と、処理途中の情報等を一時的に格納するＲＡＭ５２とを備える。ＣＰＵ５１は、電子クーポンの使用許可情報を取得する使用許可取得部５１ａと、使用許可情報を出力する使用許可出力部５１ｂとを備え、ＲＡＭ５２は、使用許可情報を格納する使用許可記憶部５２ａを備えている。また、携帯電話機５は、通信信号として赤外線を出力する赤外線出力部（図示省略）を備えている。
【０１３０】
ここで、ＣＰＵ５１及びＲＡＭ５２は、ＣＰＵ５１がＲＡＭ５２に格納された制御プログラムを読み出して実行することにより、それぞれ、使用許可取得部５１ａ、使用許可出力部５１ｂ、及び、使用許可記憶部５２ａとして機能するものである。
【０１３１】
使用許可取得部５１ａは、テンキー等からなる入力部（図示省略）を介してユーザからの操作入力に基づいて、サーバ装置４の使用許可部４１１ｈに対して、設定条件情報を送信する旨の要求情報を送信して、設定条件情報を受信するものである。
【０１３２】
また、使用許可取得部５１ａは、入力部（図示省略）を介してユーザからの操作入力に基づいて、サーバ装置４の使用許可部４１１ｈに対して、電子クーポンを使用の許可を求める旨の要求情報を送信して、電子クーポンの使用許可情報を取得し、取得した使用許可情報を使用許可記憶部５２ａに格納するものである。
【０１３３】
使用許可出力部５１ｂは、入力部（図示省略）を介してユーザからの操作入力に基づいて、使用許可記憶部５２ａから使用許可情報を読み出して、読み出した使用許可情報を赤外線出力部を介して赤外線信号としてＰＯＳ端末３（クーポンリーダ３７）に対して出力するものである。また、使用許可出力部５１ｂは、ＰＯＳ端末３に対して出力が正常に終了した使用許可情報を使用許可記憶部５２ａから消去するものである。
【０１３４】
使用許可記憶部５２ａは、使用許可取得部５１ａによってサーバ装置４から取得された使用許可情報を格納するものである。
【０１３５】
図１１は、サーバ装置４の動作の一例を示すフローチャートである。まず、設定条件受付部４１１ａによって、設定条件を受け付ける処理である設定条件受付処理が行われる（ステップＳ１）。次に、使用店舗受付部４１１ｂによって、電子クーポンを使用する店舗を受け付ける処理である使用店舗受付処理が行われる（ステップＳ２）。そして、要求条件受付部４１１ｄによって、電子クーポンの店舗が所望する設定条件である要求設定条件を受け付ける処理である要求条件受付処理が行われる（ステップＳ３）。
【０１３６】
次いで、応答受付部４１１ｆによって、要求設定条件に対する応答を受け付ける処理である応答受付処理が行われる（ステップＳ４）。そして、使用許可部４１１ｈによって、ユーザに対して電子クーポンの使用を許可する個人使用許可処理が行われる（ステップＳ５）。次に、使用実績取得部４１１ｉによって、ユーザが電子クーポンを使用した実績を把握する処理である使用実績収集処理が行われる（ステップＳ６）。そして、設定条件受付部４１１ａによって、処理を終了するか否かの判定が行われる（ステップＳ７）。処理を終了しないと判定された場合（ステップＳ７でＮＯ）には、処理がステップＳ１に戻され、ステップＳ１〜ステップＳ６の処理が繰り返し実行される。処理を終了すると判定された場合（ステップＳ７でＹＥＳ）には、処理が終了される。
【０１３７】
図１２は、図１１のフローチャートのステップＳ１で行われる設定条件受付処理の一例を示す詳細フローチャートである。なお、以下の処理は、設定条件受付部４１１ａによって行われる。まず、メーカ端末装置１から、メーカの識別情報であるメーカＩＤが受信されたか否かの判定が行われる（ステップＳ１０１）。メーカＩＤが受信されていないと判定された場合（ステップＳ１０１でＮＯ）には、処理がリターンされる。メーカＩＤが受信されたと判定された場合（ステップＳ１０１でＹＥＳ）には、受信されたメーカＩＤが登録済みであるか否かの判定が行われる（ステップＳ１０３）。登録済みではないと判定された場合（ステップＳ１０３でＮＯ）には、処理がリターンされる。登録済みであると判定された場合（ステップＳ１０３でＹＥＳ）には、メーカ端末装置１のモニタ１３に図１８に示す設定条件個別登録画面７００が表示される（ステップＳ１０５）。
【０１３８】
そして、メーカ端末装置１から設定条件情報が受信される（ステップＳ１０７）。次いで、受信された設定条件情報に識別情報として、クーポンＮｏ．が付与され（ステップＳ１０９）、設定条件記憶部４４ａに格納される（ステップＳ１１１）。次に、メーカ端末装置１に対して、登録が完了したことを示す登録完了情報が送信され（ステップＳ１１３）、処理がリターンされる。
【０１３９】
図１３は、図１１のフローチャートのステップＳ２で行われる使用店舗受付処理の一例を示す詳細フローチャートである。なお、以下の処理は、特に明記する場合を除き、使用店舗受付部４１１ｂによって行われる。まず、店舗端末装置２から店舗の識別情報である店舗ＩＤが受信されたか否かの判定が行われる（ステップＳ２０１）。店舗ＩＤが受信されていないと判定された場合（ステップＳ２０１でＮＯ）には、処理がリターンされる。店舗ＩＤが受信されたと判定された場合（ステップＳ２０１でＹＥＳ）には、店舗ＩＤが登録済みであるか否かの判定が行われる（ステップＳ２０３）。店舗ＩＤが登録済みではないと判定された場合（ステップＳ２０３でＮＯ）には、処理がリターンされる。店舗ＩＤが登録済みであると判定された場合（ステップＳ２０３でＹＥＳ）には、クーポン抽出部４１１ｃによって、店舗端末装置２が配設されている店舗で使用可能な電子クーポンの設定条件情報を設定条件記憶部４４ａから抽出される（ステップＳ２０５）。
【０１４０】
そして、クーポン抽出部４１１ｃによって、ステップＳ２０５で抽出された電子クーポンの設定条件情報が店舗端末装置２へ送信され、店舗端末装置２のモニタ２３に図２０に示す利用可能クーポン画面７２０が表示される（ステップＳ２０７）。次に、クーポン抽出部４１１ｃによって、店舗端末装置２から検索を指示する旨の情報である検索指示情報が受信されたか否かの判定が行われる（ステップＳ２０９）。検索指示情報が受信されていないと判定された場合（ステップＳ２０９でＮＯ）には、クーポン抽出部４１１ｃによって、処理がステップＳ２１７に進められる。
【０１４１】
検索指示情報が受信されたと判定された場合（ステップＳ２０９でＹＥＳ）には、クーポン抽出部４１１ｃによって、店舗端末装置２のモニタ２３に図２１に示す検索条件設定画面７３０が表示され、検索条件が受け付けられる（ステップＳ２１１）。そして、クーポン抽出部４１１ｃによって、ステップＳ２１１で受け付けられた検索条件を満たす電子クーポンの設定条件情報が設定条件記憶部４４ａから抽出される（ステップＳ２１３）。次いで、クーポン抽出部４１１ｃによって、店舗端末装置２に対して、検索条件を満たす電子クーポンの設定条件情報が送信され、店舗端末装置２のモニタ２３に図２２に示す検索結果画面７４０が表示される（ステップＳ２１５）。
【０１４２】
ステップＳ２１５の処理が終了した場合、又は、ステップＳ２０９でＮＯの場合、店舗端末装置２から、当該店舗端末装置２が配設されている店舗で、少なくとも１の電子クーポンを使用可能とする旨の指示情報が受け付けられる（ステップＳ２１７）。そして、ステップＳ２０１で受信された店舗ＩＤを、ステップＳ２１７で使用可能とする旨の指示情報が受け付けられた電子クーポン（以下、使用確定クーポンという）の商品識別情報に対応付けて設定条件記憶部４４ａに格納される（ステップＳ２１９）。次いで、店舗端末装置２に対して、使用可能とする登録が完了した旨の情報である使用登録完了情報が送信され（ステップＳ２２１）、処理が終了される。
【０１４３】
図１４は、図１１のフローチャートのステップＳ３で行われる要求条件受付処理の一例を示す詳細フローチャートである。なお、以下の処理は、特に明記する場合を除き、要求条件受付部４１１ｄによって行われる。まず、店舗端末装置２から店舗の識別情報である店舗ＩＤが受信されたか否かの判定が行われる（ステップＳ３０１）。店舗ＩＤが受信されていないと判定された場合（ステップＳ３０１でＮＯ）には、処理がリターンされる。店舗ＩＤが受信されたと判定された場合（ステップＳ３０１でＹＥＳ）には、店舗ＩＤが登録済みであるか否かの判定が行われる（ステップＳ３０３）。店舗ＩＤが登録済みではないと判定された場合（ステップＳ３０３でＮＯ）には、処理がリターンされる。店舗ＩＤが登録済みであると判定された場合（ステップＳ３０３でＹＥＳ）には、店舗端末装置２のモニタ２３に図２４に示す要求条件入力画面７６０が表示される（ステップＳ３０５）。
【０１４４】
そして、店舗端末装置２から要求設定条件情報が受信される（ステップＳ３０７）。次いで、ステップＳ３０７で受け付けられた要求設定条件情報に識別情報（仮クーポンＮｏ．）が付与される（ステップＳ３０９）。次に、ステップＳ３０７で受け付けられた要求設定条件情報が、その店舗端末装置２が配設されている店舗の店舗識別情報及び仮クーポンＮｏ．と対応付けて、要求条件記憶部４４ｃに格納される（ステップＳ３１１）。
【０１４５】
そして、店舗端末装置２に対して、要求設定条件の受け付けが完了した旨の情報である受付完了情報が送信される（ステップＳ３１３）。次いで、要求条件送信部４１１ｅによって、要求設定条件の商品の商品識別情報に対応するメーカＩＤがメーカ記憶部４４ｄから読み出される（ステップＳ３１５）。次に、要求条件送信部４１１ｅによって、ステップＳ３１５で読み出されたメーカＩＤに対応するメーカ端末装置１に対して要求設定条件情報が送信され（ステップＳ３１７）、処理がリターンされる。
【０１４６】
図１５は、図１１のフローチャートのステップＳ４で行われる応答受付処理の一例を示す詳細フローチャートである。なお、以下の処理は、特に明記する場合を除き、応答受付部４１１ｆによって行われる。まず、メーカ端末装置１から、メーカの識別情報であるメーカＩＤが受信されたか否かの判定が行われる（ステップＳ４０１）。メーカＩＤが受信されていないと判定された場合（ステップＳ４０１でＮＯ）には、処理がリターンされる。メーカＩＤが受信されたと判定された場合（ステップＳ４０１でＹＥＳ）には、受信されたメーカＩＤが登録済みであるか否かの判定が行われる（ステップＳ４０３）。登録済みではないと判定された場合（ステップＳ４０３でＮＯ）には、処理がリターンされる。登録済みであると判定された場合（ステップＳ４０３でＹＥＳ）には、店舗が発行を要求する電子クーポンの設定条件である要求設定条件があるか否かの判定が行われる（ステップＳ４０５）。要求設定条件がないと判定された場合（ステップＳ４０５でＮＯ）には、処理がリターンされる。要求設定条件がないと判定された場合（ステップＳ４０５でＹＥＳ）にはメーカ端末装置１のモニタ１３に図２５に示す応答入力画面７７０が表示される（ステップＳ４０７）。
【０１４７】
そして、メーカ端末装置１から、応答情報が受信される（ステップＳ４０９）。次いで、応答情報送信部４１１ｇによって、受信された応答情報が、要求設定条件を拒否するものであるか否かの判定が行われる（ステップＳ４１１）。要求設定条件を拒否するものである場合（ステップＳ４１１でＹＥＳ）には、応答情報送信部４１１ｇによって、応答情報に対応する店舗識別情報が読み出されて、読み出された店舗識別情報に対応する店舗端末装置２に対して、要求設定条件が拒否されたことを示す拒否情報が送信され（ステップＳ４１３）、処理がリターンされる。
【０１４８】
要求設定条件を拒否するものではない（要求設定条件をそのまま受け入れるか、又は、条件を変更するものである）場合（ステップＳ４１１でＮＯ）には、応答情報に基づいて要求設定条件情報が更新されて（ステップＳ４１５）、更新された要求設定条件情報が設定条件情報として設定条件記憶部４４ａに格納される（ステップＳ４１７）。そして、応答情報送信部４１１ｇによって、応答情報に対応する店舗端末装置２に対して、応答情報が送信されると共に、応答情報に従って要求設定条件情報が更新されて設定条件情報として登録された旨の情報が送信され（ステップＳ４１９）、処理がリターンされる。
【０１４９】
図１６は、図１１のフローチャートのステップＳ５で行われる個人使用許可処理の一例を示す詳細フローチャートである。なお、以下の処理は、使用許可部４１１ｈによって行われる。まず、携帯電話機５から使用の許可を求める旨の要求があったか否かの判定が行われる（ステップＳ５０１）。要求がないと判定された場合（ステップＳ５０１でＮＯ）には、処理がリターンされる。要求があったと判定された場合（ステップＳ５０１でＹＥＳ）には、クーポン抽出部４１１ｃによって、携帯電話機５から検索条件が受け付けられる（ステップＳ５０３）。
【０１５０】
そして、クーポン抽出部４１１ｃによって、検索条件を満たす電子クーポンが抽出されて（ステップＳ５０５）、抽出された電子クーポンの設定条件情報が携帯電話機５に送信される（ステップＳ５０７）。そして、携帯電話機５から、電子クーポンを使用の許可を求める旨の要求が受け付けられる（ステップＳ５０９）。次いで、使用の許可を求める電子クーポンが有るか否かの判定が行われる（ステップＳ５１１）。使用の許可を求める電子クーポンが無いと判定された場合（ステップＳ５１１でＮＯ）には、処理がリターンされる。使用の許可を求める電子クーポンが有ると判定された場合（ステップＳ５１１でＹＥＳ）には、携帯電話機５から携帯電話番号情報が取得される（ステップＳ５１３）。
【０１５１】
そして、既に当該電子クーポンを発行している携帯電話機５ではない（同じ携帯電話機５に対する重複した発行ではない＝電子クーポンを利用可能な携帯電話機５である）か否かが判定される（ステップＳ５１５）。電子クーポンを利用可能ではないと判定された場合（ステップＳ５１５でＮＯ）には、電子クーポンを利用可能ではない旨（既に当該電子クーポンを発行している旨）の情報が携帯電話機５に送信され（ステップＳ５１７）、処理がリターンされる。
【０１５２】
電子クーポンを利用可能であると判定された場合（ステップＳ５１５でＹＥＳ）には、使用許可情報（電子クーポン毎、及び、電子クーポンが発行される度に設定される識別情報）が携帯電話機５に送信され（ステップＳ５１９）、ステップＳ５１３で取得された携帯電話番号が設定条件記憶部４４ａに格納され（ステップＳ５２１）、処理がリターンされる。
【０１５３】
図１７は、図１１のフローチャートのステップＳ６で行われる使用実績収集処理の一例を示す詳細フローチャートである。なお、以下の処理は、使用実績取得部４１１ｉによって行われる。まず、設定条件記憶部４４ａの有効期間情報と現在日時とを比較して、有効期間が終了した電子クーポンが有るか否かの判定が行われる（ステップＳ６０１）。有効期間が終了した電子クーポンがないと判定された場合（ステップＳ６０１でＮＯ）には、処理がリターンされる。有効期間が終了した電子クーポンが有ると判定された場合（ステップＳ６０１でＹＥＳ）には、設定条件記憶部４４ａから、その電子クーポンを使用可能とする旨の指示情報が受け付けられた店舗の店舗ＩＤが読み出される（ステップＳ６０３）。
【０１５４】
そして、ステップＳ６０３で読み出された店舗ＩＤに対応する店舗端末装置２から、使用実績情報が取得される（ステップＳ６０５）。次いで、有効期間が終了した電子クーポンを使用可能とする旨の指示情報が受け付けられた全ての店舗ＩＤに対応する店舗端末装置２から使用実績情報が取得されたか否かの判定が行われる（ステップＳ６０７）。全ての店舗ＩＤに対応する店舗端末装置２から使用実績情報が取得されてはいない（使用実績情報が取得されていない店舗端末装置２が有る）と判定された場合（ステップＳ６０７でＮＯ）には、処理がステップＳ６０５に戻される。
【０１５５】
全ての店舗ＩＤに対応する店舗端末装置２から使用実績情報が取得されたと判定された場合（ステップＳ６０７でＹＥＳ）には、取得された使用実績情報が設定条件記憶部４４ａに格納される（ステップＳ６０９）。そして、ステップＳ６０１で有効期間が終了したと判定された電子クーポンに対応するメーカＩＤが読み出される（ステップＳ６１１）。そして、読み出されたメーカＩＤに対応するメーカ端末装置１に対してステップＳ６０７で取得された使用実績情報が送信され（ステップＳ６１３）、処理が終了される。
【０１５６】
図１８は、図１２に示すフローチャートのステップＳ１０５でメーカ端末装置１のモニタ１３に表示される設定条件個別登録画面の一例を示す画面図である。設定条件個別登録画面７００には、画面左上部に、メーカ端末装置１が配設されているメーカの識別情報であるメーカＩＤが表示されるメーカＩＤ表示部７０１と、メーカ名が表示されるメーカ名表示部７０２とが表示され、画面右上部に、現在の年月日が表示される年月日表示部７０３が表示されている。
【０１５７】
また、設定条件個別登録画面７００には、画面略中央部に、設定条件情報として、商品コードが入力される商品コード入力部７０４と、商品名が入力される商品名入力部７０５と、有効期間の開始時期が選択可能に入力される開始時期入力部７０６及び終了時期が選択可能に入力される終了時期入力部７０７と、使用可能な地域が選択可能に入力される地域入力部７０８と、値引き内容が入力される値引き内容入力部７０９とが表示されている。値引き内容入力部７０９には、値引き内容として金額を入力するか、又は、値引き率を入力するかを選択する値引き内容選択部７０９ａが選択可能に表示されている。
【０１５８】
更に、設定条件個別登録画面７００には、画面下部に、設定条件情報をサーバ装置４に送信する場合にクリックされる登録ボタン７００ａと、図１９に示す設定条件一括登録画面７１０を表示する場合にクリックされる一括ボタン７００ｂとが表示されている。メーカのオペレータ等は、設定条件個別登録画面７００の、商品コード入力部７０４、商品名入力部７０５、開始時期入力部７０６、終了時期入力部７０７、地域入力部７０８、及び、値引き内容入力部７０９に、それぞれ、設定するべき内容を入力（または選択）して、登録ボタン７００ａをクリックすることにより、設定条件情報がサーバ装置４に送信され、登録される。
【０１５９】
図１９は、図１２に示すフローチャートのステップＳ１０５でメーカ端末装置１のモニタ１３に表示される設定条件一括登録画面の一例を示す画面図である。設定条件一括登録画面７１０は、図１８に示す設定条件個別登録画面７００の一括ボタン７００ｂがクリックされた場合に表示される画面であって、画面左上部に、メーカ端末装置１が配設されているメーカの識別情報であるメーカＩＤが表示されるメーカＩＤ表示部７１１と、メーカ名が表示されるメーカ名表示部７１２とが表示され、画面右上部に、現在の年月日が表示される年月日表示部７１３が表示されている。
【０１６０】
また、設定条件一括登録画面７１０には、画面略中央部に、設定条件情報として、商品コードが入力される商品コード入力部７１４と、商品名が入力される商品名入力部７１５と、有効期間の開始時期が選択可能に入力される開始時期入力部７１６及び終了時期が選択可能に入力される終了時期入力部７１７と、使用可能な地域が選択可能に入力される地域入力部７１８と、値引き内容が入力される値引き内容入力部７１９とが、それぞれ、複数箇所（ここでは、８箇所）だけ表示されている。値引き内容入力部７１９には、値引き内容として金額を入力するか、又は、値引き率を入力するかを選択する値引き内容選択部７１９ａが選択可能に表示されている。
【０１６１】
更に、設定条件一括登録画面７１０には、画面下部に、設定条件情報をサーバ装置４に送信する場合にクリックされる登録ボタン７１０ａと、図１８に示す設定条件個別登録画面７００を表示する場合にクリックされる個別登録ボタン７１０ｂとが表示されている。メーカのオペレータ等は、設定条件一括登録画面７１０の、商品コード入力部７１４、商品名入力部７１５、開始時期入力部７１６、終了時期入力部７１７、地域入力部７１８、及び、値引き内容入力部７１９に、それぞれ、設定するべき内容を入力（または選択）して、登録ボタン７１０ａをクリックすることにより、入力された個数（ここでは、最大８個）だけ一括して設定条件情報がサーバ装置４に送信され、登録される。
【０１６２】
図２０は、図１３に示すフローチャートのステップＳ２０７で店舗端末装置２のモニタ２３に表示される利用可能クーポン画面の一例を示す画面図である。利用可能クーポン画面７２０には、画面左上部に、店舗端末装置２が配設されている店舗の識別情報である店舗ＩＤが表示される店舗ＩＤ表示部７２１と、店舗名が表示される店舗名表示部７２２とが表示されている。
【０１６３】
また、利用可能クーポン画面７２０には、画面略中央部に、設定条件情報として、選択する場合にクリックされるチェック入力部７２３と、電子クーポンの識別情報であるクーポンＮｏ．が表示されるクーポン番号表示部７２４と、商品のメーカに対応するメーカＩＤが表示されるメーカＩＤ表示部７２５と、メーカ名が表示されるメーカ名表示部７２５ａと、商品コードが表示される商品コード表示部７２６と、商品名が表示される商品名表示部７２６ａと、有効期間が表示される有効期間表示部７２７と、値引き内容が表示される値引き内容表示部７２８とが、それぞれ、複数箇所（ここでは、８箇所）だけ表示されている。有効期間表示部７２７は、有効期間の開始年月日が表示される開始時期表示部７１７ａ及び終了年月日が表示される終了時期表示部７２７ｂから構成されている。
【０１６４】
更に、利用可能クーポン画面７２０には、画面下部に、チェック入力部７２３にチェックマークが表示されている電子クーポンを使用可能とする旨の指示情報をサーバ装置４に送信する場合にクリックされる利用登録ボタン７２０ａと、図２１に示す検索条件設定画面７３０を表示する場合にクリックされる検索ボタン７２０ｂと、表示されている全ての電子クーポンのチェック入力部７２３にチェックマークを入力する場合にクリックされる全選択ボタン７２０ｃと、表示されている全ての電子クーポンのチェック入力部７２３のチェックマークを削除する場合にクリックされる全選択解除ボタン７２０ｄとが表示されている。
【０１６５】
店舗のオペレータ等は、利用可能クーポン画面７２０の、所望する電子クーポンに対応するチェック入力部７２３をクリックすることにより、使用することを所望する電子クーポンを選択し、利用登録ボタン７２０ａをクリックすることにより、チェック入力部７２３にチェックマークが表示されている電子クーポンを使用可能とする旨の指示情報がサーバ装置４に送信され、当該店舗で使用可能とするべく登録される。
【０１６６】
図２１は、図１３に示すフローチャートのステップＳ２１１で店舗端末装置２のモニタ２３に表示される検索条件設定画面の一例を示す画面図である。検索条件設定画面７３０は、図２０に示す利用可能クーポン画面７２０の検索ボタン７２０ｂがクリックされた場合に表示される画面であって、画面左上部に、店舗端末装置２が配設されている店舗の識別情報である店舗ＩＤが表示される店舗ＩＤ表示部７３１と、店舗名が表示される店舗名表示部７３２とが表示されている。
【０１６７】
また、検索条件設定画面７３０には、画面略中央部に、検索条件情報として、有効期間の開始時期が選択可能に入力される開始時期入力部７３３ａ及び終了時期が選択可能に入力される終了時期入力部７３３ｂからなる有効期間入力部７３３と、使用可能な地域が選択可能に入力される地域入力部７３４と、電子クーポンの識別情報であるクーポンＮｏ．が入力されるクーポン番号入力部７３５と、検索する商品のメーカの識別情報であるメーカＩＤが入力されるメーカＩＤ入力部７３６と、検索する商品のメーカ名が入力されるメーカ名入力部７３６ａと、商品を分類する商品種別の識別情報である商品種別コードが入力される商品種別コード入力部７３７と、商品を分類する商品種別の名称情報である商品分類情報が入力される商品種別名入力部７３７ａと、商品コードが入力される商品コード入力部７３８と、商品名が入力される商品名入力部７３８ａと、値引き内容が入力される値引き内容入力部７３９と、値引き内容入力部７３９に値引き内容として金額を入力するか、又は、値引き率を入力するかを選択する値引き内容選択部７３９ａとが表示されている。
【０１６８】
更に、検索条件設定画面７３０には、画面下部に、有効期間入力部７３３〜値引き内容入力部７３９に入力された検索条件情報をサーバ装置４に送信し、検索を実行させる場合にクリックされる検索ボタン７３０ａが表示されている。
【０１６９】
店舗のオペレータ等は、検索条件設定画面７３０の、有効期間入力部７３３〜値引き内容入力部７３９に検索条件を入力し、検索ボタン７３０ａをクリックすることにより、有効期間入力部７３３〜値引き内容入力部７３９に入力された検索条件情報がサーバ装置４に送信され、検索が実行される。
【０１７０】
図２２は、図１３に示すフローチャートのステップＳ２１５で店舗端末装置２のモニタ２３に表示される検索結果画面の一例を示す画面図である。検索結果画面７４０には、画面左上部に、店舗端末装置２が配設されている店舗の識別情報である店舗ＩＤが表示される店舗ＩＤ表示部７４１と、店舗名が表示される店舗名表示部７４１ａとが表示され、店舗名表示部７４１ａの下側に、検索条件を表示する検索条件表示部７４２が表示されている。
【０１７１】
また、検索結果画面７４０には、画面略中央部に、電子クーポンに設定された設定条件情報として、選択する場合にクリックされるチェック入力部７４３と、電子クーポンの識別情報であるクーポンＮｏ．が表示されるクーポン番号表示部７４４と、商品のメーカに対応するメーカＩＤが表示されるメーカＩＤ表示部７４５と、メーカ名が表示されるメーカ名表示部７４５ａと、商品コードが表示される商品コード表示部７４６と、商品名が表示される商品名表示部７４６ａと、有効期間が表示される有効期間表示部７４７と、使用可能な地域が表示される地域表示部７４８と、値引き内容が表示される値引き内容表示部７４９とが、それぞれ、複数箇所（ここでは、５箇所）だけ表示されている。有効期間表示部７４７は、有効期間の開始年月日が表示される開始時期表示部７４７ａ及び終了年月日が表示される終了時期表示部７４７ｂから構成されている。値引き内容表示部７４９には、値引き内容として金額を表示するか、又は、値引き率を表示する値引き単位表示部７４９ａが表示されている。
【０１７２】
更に、検索結果画面７４０には、画面下部に、チェック入力部７４３にチェックマークが表示されている電子クーポンを使用可能とする旨の指示情報をサーバ装置４に送信する場合にクリックされる利用登録ボタン７４０ａと、表示されている全て（５個）の電子クーポンのチェック入力部７４３にチェックマークを入力する場合にクリックされる全選択ボタン７４０ｂと、表示されている全ての電子クーポンのチェック入力部７４３のチェックマークを削除する場合にクリックされる全選択解除ボタン７４０ｃとが表示されている。
【０１７３】
店舗のオペレータ等は、検索結果画面７４０の、所望する電子クーポンに対応するチェック入力部７４３をクリックすることにより、使用することを所望する電子クーポンを選択し、利用登録ボタン７４０ａをクリックすることにより、チェック入力部７４３にチェックマークが表示されている電子クーポンを使用可能とする旨の指示情報がサーバ装置４に送信され、当該店舗で使用可能とするべく登録される。
【０１７４】
加えて、検索結果画面７４０のクーポン番号表示部７４４は、クリックされ得るボタンとしても機能するものであって、クーポン番号表示部７４４がクリックされると、クリックされたクーポン番号に対応する電子クーポンの詳細な設定情報等を表示する図２３に示す詳細情報画面７５０が表示されるものである。
【０１７５】
図２３は、図１３に示すフローチャートのステップＳ２１５で店舗端末装置２のモニタ２３に表示される詳細情報画面の一例を示す画面図である。詳細情報画面７５０には、画面左上部に、店舗端末装置２が配設されている店舗の識別情報である店舗ＩＤが表示される店舗ＩＤ表示部７５１と、店舗名が表示される店舗名表示部７５２とが表示され、店舗名表示部７５２の下側に、クーポン番号を表示するクーポン番号表示部７５３が表示されている。
【０１７６】
また、詳細情報画面７５０には、画面略中央部に、クーポン番号表示部７５３に表示された電子クーポンを提供しているメーカの情報を表示するメーカ表示部７５４と、クーポン番号表示部７５３の対象商品の情報を表示する商品情報表示部７５５と、この詳細情報画面７５０が表示される前に表示されていた検索結果画面７４０の検索条件を表示する検索条件表示部７５６と、店舗端末装置２が配設されている店舗でのこの商品に関する情報が表示される店舗情報表示部７５７とが表示されている。商品情報表示部７５５には、商品の画像を表示する商品画像表示部７５５ａが表示されている。
【０１７７】
更に、詳細情報画面７５０には、画面下部に、この電子クーポンを使用可能とする旨の指示情報をサーバ装置４に送信する場合にクリックされる利用登録ボタン７５０ａと、図１２に示す検索結果画面７４０を表示する場合にクリックされる一覧表示ボタン７５０ｂとが表示されている。店舗のオペレータ等は、詳細情報画面７５０に表示されたメーカ表示部７５４〜店舗情報表示部７５７に表示された情報を、この電子クーポンを使用可能とするか否かの判定に利用することが可能となる。
【０１７８】
図２４は、図１４に示すフローチャートのステップＳ３０５で店舗端末装置２のモニタ２３に表示される要求条件入力画面の一例を示す画面図である。要求条件入力画面７６０には、画面左上部に、画面左上部に、店舗端末装置２が配設されている店舗の識別情報である店舗ＩＤが表示される店舗ＩＤ表示部７６１と、店舗名が表示される店舗名表示部７６２とが表示され、画面右上部に、現在の年月日が表示される年月日表示部７６３が表示されている。
【０１７９】
また、要求条件入力画面７６０には、画面略中央部に、要求設定条件情報として、商品コードが入力される商品コード入力部７６４と、商品名が入力される商品名入力部７６５と、有効期間の開始時期が選択可能に入力される開始時期入力部７６６及び終了時期が選択可能に入力される終了時期入力部７６７と、値引き内容が入力される値引き内容入力部７６８とが表示されている。値引き内容入力部７６８には、値引き内容として金額を入力するか、又は、値引き率を入力するかを選択する値引き内容選択部７６８ａが選択可能に表示されている。
【０１８０】
更に、要求条件入力画面７６０には、画面下部に、要求設定条件情報をサーバ装置４に送信する場合にクリックされる登録ボタン７６０ａが表示されている。店舗のオペレータ等は、要求条件入力画面７６０の、商品コード入力部７６４、商品名入力部７６５、開始時期入力部７６６、終了時期入力部７６７、及び、値引き内容入力部７６８に、それぞれ、設定するべき内容を入力（または選択）して、登録ボタン７６０ａをクリックすることにより、要求設定条件情報がサーバ装置４に送信され、登録される。
【０１８１】
図２５は、図１５に示すフローチャートのステップＳ４０７でメーカ端末装置１のモニタ１３に表示される応答入力画面の一例を示す画面図である。応答入力画面７７０には、画面左上部に、メーカ端末装置１が配設されているメーカの識別情報であるメーカＩＤが表示されるメーカＩＤ表示部７７１と、メーカ名が表示されるメーカ名表示部７７２とが表示され、メーカ名表示部７７２の下側には、要求設定条件が設定された店舗の識別情報である店舗ＩＤが表示される店舗ＩＤ表示部７７３と、店舗名が表示される店舗名表示部７７４とが表示されている。
【０１８２】
また、応答入力画面７７０には、画面略中央部に、要求設定条件が設定された対象の商品コードが表示される商品コード表示部７７５と、商品名が表示される商品名表示部７７６とが表示され、商品コード表示部７７５の左下側には、要求設定条件が表示される要求条件表示部７７７と、商品コード表示部７７５の右下側には、応答情報が入力される応答入力部７７８とが表示されている。
【０１８３】
要求条件表示部７７７には、応答情報を入力する場合にクリックされるチェック入力部７７７ａと、有効期間の開始年月日が表示される開始時期表示部７７７ｂと、終了年月日が表示される終了時期表示部７７７ｃと、値引き内容が表示される値引き内容表示部７７７ｄとが表示されている。チェック入力部７７７ａがクリックされると、応答入力部７７８に対応する条件の入力が可能とされる。ここでは、便宜上、値引き内容表示部７７７ｄのチェック入力部７７７ａがクリックされた場合に表示される画面について説明する。
【０１８４】
応答入力部７７８には、値引き内容が入力される値引き内容入力部７７８ｄと、値引き内容として金額を入力するか、又は、値引き率を入力するかを選択する値引き内容選択部７７８ｅとが表示されている。
【０１８５】
更に、応答入力画面７７０には、画面下部に、設定条件情報をサーバ装置４に送信する場合にクリックされる登録ボタン７７０ａが表示されている。メーカのオペレータ等は、応答入力画面７７０の、チェック入力部７７７ａ、値引き内容入力部７７８ｄ及び値引き内容選択部７７８ｅ等に、設定するべき内容を入力（または選択）して、登録ボタン７７０ａをクリックすることにより、応答情報がサーバ装置４に送信される。
【０１８６】
上述のようにして、店舗端末装置２から、値引き内容情報及び有効期間情報が商品コードと対応付けて設定条件記憶部４４ａに格納されている電子クーポンの中から、少なくとも１の電子クーポンを使用可能とする旨の指示情報が受け付けられ、当該店舗端末装置２の配設されている店舗の識別情報である店舗ＩＤが電子クーポンの商品コードに対応付けて設定条件記憶部４４ａに格納されるため、電子クーポンの設定条件に関しての、メーカと店舗との合意のための処理に対する効果的な支援が可能となり、利便性が向上される。
【０１８７】
すなわち、店舗端末装置２から、使用可能とする旨の指示情報が受け付けられると、受け付けられた指示情報に対応する電子クーポンについて、メーカと店舗との合意が締結されたとして扱うことが可能になる。
【０１８８】
また、電子クーポンを使用可能な地域として、少なくとも１の地域の地域識別情報が受け付けられ、商品コードと対応付けて格納されるため、使用可能な店舗としての、少なくとも１の（すなわち、特定の）店舗のみが電子クーポンを使用することが可能となり、メーカ側からの電子クーポンの使用に関する制約条件が効果的に設定され、更に利便性が向上される。
【０１８９】
更に、店舗ＩＤが受け付けられて、受け付けられた店舗ＩＤに対応する店舗で使用可能な電子クーポンの設定条件情報が抽出されると共に、抽出された電子クーポンの設定条件情報が店舗端末装置２へ送信されるため、店舗端末装置２から当該店舗端末装置２が配設されている店舗で使用可能な電子クーポンの設定条件情報が容易に取得され、利便性が更に向上される。
【０１９０】
更に、店舗端末装置２から、メーカＩＤ及び商品種別コードの少なくとも一方が受け付けられて、受け付けられた情報に対応する設定条件情報が当該店舗端末装置２に対して送信されるため、設定条件情報が容易に取得され、利便性が更に向上される。
【０１９１】
加えて、店舗端末装置２から、要求する値引き内容を表す要求値引き内容情報が受け付けられて、受け付けられた要求値引き内容情報を満たす設定条件情報が当該店舗端末装置２に対して送信されるため、要求値引き内容情報を満たす設定条件情報が容易に取得され、利便性が更に向上される。
【０１９２】
また、店舗端末装置２から、その店舗が発行を所望する電子クーポンの設定条件である要求設定条件情報として、電子クーポンの発行を要求する商品の識別情報である要求商品コード、当該商品の要求する値引きの内容を表す要求値引き内容情報及び当該電子クーポンの使用を要求する期間の情報である要求有効期間情報が受け付けられ、受け付けられた要求商品コード、要求値引き内容情報及び要求有効期間情報が店舗ＩＤと対応付けて格納されるため、店舗が発行を所望する電子クーポンの設定条件である要求設定条件情報として要求商品コード、要求値引き内容情報及び要求有効期間情報が店舗ＩＤと対応付けて容易に登録され、利便性が更に向上される。
【０１９３】
更に、要求条件記憶部４４ｃに格納された商品コードに対応するメーカＩＤが読み出されて、読み出されたメーカＩＤに対応するメーカ端末装置１に対して、要求設定条件情報が送信されるため、要求設定条件情報が登録された商品コードに対応するメーカ端末装置１に対して、容易に要求設定条件情報が送信され、利便性が更に向上される。
【０１９４】
加えて、メーカ端末装置１から、要求設定条件情報に対応する応答情報として、少なくとも値引き内容情報及び有効期間情報の一方が受け付けられて、当該応答情報に対応する店舗ＩＤが読み出されて、読み出された店舗ＩＤに対応する店舗端末装置２に対して、応答情報が送信されるため、要求設定条件情報に対応する応答情報がその要求設定条件情報を登録した店舗端末装置２に容易に送信され、利便性が更に向上される。
【０１９５】
なお、本発明は以下の態様をとることができる。
【０１９６】
（Ａ）本実施形態においては、メーカと店舗との間で電子クーポンの設定条件に関する合意が締結される形態について説明したが、メーカと店舗との間に限定されるものではない。例えば、メーカに換えて、役務（サービス）を提供する企業等である形態でもよいし、店舗に換えて、複数の店舗を有する企業、または、団体、例えば、商工会議所等である形態でもよい。
【０１９７】
すなわち、商品又は役務を提供する側（ここでは、提供者という）と、この提供者と消費者との間に介在する中間業者との間において、電子クーポンの設定条件に関する合意が締結される形態であれよい。
【０１９８】
（Ｂ）本実施形態においては、設定条件受付部４１１ａが、電子クーポンの設定条件情報として、対象とする商品の識別情報である商品識別情報、当該商品の値引き内容を表す値引き内容情報、当該電子クーポンの使用可能な期間の情報である有効期間情報、及び、当該電子クーポンを使用可能な地域の地域識別情報とを受け付ける場合について説明したが、電子クーポンの設定条件情報として、少なくとも商品を識別可能な情報（例えば、商品名）及び値引き内容を表す値引き内容情報を含む形態であればよい。
【０１９９】
また、有効期間情報に換えて、電子クーポンの使用可能な期間の終了日の情報を含む形態でもよい。更に、地域識別情報に換えて（または、加えて）、店舗の識別情報を含む形態でもよい。
【０２００】
（Ｃ）本実施形態においては、使用店舗受付部４１１ｂが、使用確定クーポンに対応する商品のメーカに配設されているメーカ端末装置１に対して、使用確定クーポンの店舗識別情報を送信する場合について説明したが、メーカ端末装置１からの要求に応じて使用確定クーポンの店舗識別情報を閲覧可能とする形態でもよい。
【０２０１】
（Ｄ）本実施形態においては、クーポン抽出部４１１ｃが、店舗端末装置２が配設されている店舗の店舗識別情報を受け付けて、受け付けられた店舗識別情報に対応する店舗で使用可能な電子クーポンの設定条件情報を店舗端末装置２へ送信する形態について説明したが、クーポン抽出部４１１ｃが、受け付けられた店舗識別情報に対応する店舗で使用可能ではない電子クーポンの設定条件情報をも送信する形態でもよい。
【０２０２】
例えば、自店舗では使用可能ではないが、他の店舗で使用可能な電子クーポンの設定条件情報を参照することにより、類似する電子クーポンを自店舗でも使用可能とするべく、要求条件受付部４１１ｄを介してメーカに対して要求設定条件を送信することが可能となり、利便性が更に向上される。
【０２０３】
（Ｅ）本実施形態においては、設定条件受付部４１１ａが、電子クーポンの要求設定条件情報として、電子クーポンの発行を要求する商品の識別情報である要求商品識別情報、当該商品の要求する値引きの内容を表す要求値引き内容情報及び当該電子クーポンの使用を要求する期間の情報である要求有効期間情報を受け付ける場合について説明したが、電子クーポンの要求設定条件情報として、少なくとも商品を識別可能な情報（例えば、商品名）及び値引き内容を表す値引き内容情報を含む形態であればよい。また、要求有効期間情報に換えて、電子クーポンの使用可能な期間の終了日の情報を含む形態でもよい。
【０２０４】
（Ｆ）本実施形態においては、商品記憶部４４ｅが、商品毎に、その商品を分類する情報である商品分類情報を、その商品の商品識別情報と対応付けて格納する場合について説明したが、その商品を分類する情報である商品分類情報が階層的に構成されている形態でもよい。すなわち、商品毎に、その商品を分類する情報である商品分類情報が、複数の商品分類情報が付与されている形態でもよい。
【０２０５】
（Ｇ）本実施形態においては、応答受付部４１１ｆが、メーカ端末装置１から受け付けた応答情報に基づいて、要求設定条件情報を更新し、更新した要求設定条件情報を設定条件情報として設定条件記憶部４４ａに格納する場合について説明したが、メーカ端末装置１から受け付けた応答情報に関する承諾可否を確認する情報を、店舗端末装置２に対して送信し、その店舗端末装置２から承諾可を表す情報が受け付けられた場合に、要求設定条件情報を設定条件情報として設定条件記憶部４４ａに格納する形態でもよい。この場合には、店舗側の要望が更に反映された電子クーポンとなるため、利便性が更に向上される。
【図面の簡単な説明】
【０２０６】
【図１】本発明に係る電子クーポン提供システムの一例を示す構成図である。
【図２】本発明に係るサーバ装置の一例を示す構成図である。
【図３】サーバ装置の主要部の一例を示す機能構成図である。
【図４】設定条件記憶部に格納される情報の一例を示す図表である。
【図５】メーカ端末装置の一例を示す構成図である。
【図６】メーカ端末装置の主要部の一例を示す機能構成図である。
【図７】店舗端末装置の一例を示す構成図である。
【図８】店舗端末装置の主要部の一例を示す機能構成図である。
【図９】ＰＯＳ端末の一例を示す構成図である。
【図１０】携帯電話機の主要部の一例を示す機能構成図である。
【図１１】サーバ装置の動作の一例を示すフローチャートである。
【図１２】図１１のフローチャートのステップＳ１で行われる設定条件受付処理の一例を示す詳細フローチャートである。
【図１３】図１１のフローチャートのステップＳ２で行われる使用店舗受付処理の一例を示す詳細フローチャートである。
【図１４】図１１のフローチャートのステップＳ３で行われる要求条件受付処理の一例を示す詳細フローチャートである。
【図１５】図１１のフローチャートのステップＳ４で行われる応答受付処理の一例を示す詳細フローチャートである。
【図１６】図１１のフローチャートのステップＳ５で行われる個人使用許可処理の一例を示す詳細フローチャートである。
【図１７】図１１のフローチャートのステップＳ６で行われる使用実績収集処理の一例を示す詳細フローチャートである。
【図１８】図１２に示すフローチャートのステップＳ１０５でメーカ端末装置のモニタに表示される設定条件個別登録画面の一例を示す画面図である。
【図１９】図１２に示すフローチャートのステップＳ１０５でメーカ端末装置のモニタに表示される設定条件一括登録画面の一例を示す画面図である。
【図２０】図１３に示すフローチャートのステップＳ２０７で店舗端末装置のモニタに表示される利用可能クーポン画面の一例を示す画面図である。
【図２１】図１３に示すフローチャートのステップＳ２１１で店舗端末装置のモニタに表示される検索条件設定画面の一例を示す画面図である。
【図２２】図１３に示すフローチャートのステップＳ２１５で店舗端末装置のモニタに表示される検索結果画面の一例を示す画面図である。
【図２３】図１３に示すフローチャートのステップＳ２１５で店舗端末装置のモニタに表示される詳細情報画面の一例を示す画面図である。
【図２４】図１４に示すフローチャートのステップＳ３０５で店舗端末装置のモニタに表示される要求条件入力画面の一例を示す画面図である。
【図２５】図１５に示すフローチャートのステップＳ４０７でメーカ端末装置のモニタに表示される応答入力画面の一例を示す画面図である。
【符号の説明】
【０２０７】
１  メーカ端末装置
２  店舗端末装置
３  ＰＯＳ端末
４  サーバ装置（電子クーポン用サーバ装置）
４１１  ＣＰＵ
４１１ａ  設定条件受付部（設定条件受付手段）
４１１ｂ  使用店舗受付部（使用店舗受付手段）
４１１ｃ  クーポン抽出部（クーポン抽出手段）
４１１ｄ  要求条件受付部（要求条件受付手段）
４１１ｅ  要求条件送信部（要求条件送信手段）
４１１ｆ  応答受付部（応答受付手段）
４１１ｇ  応答情報送信部（応答送信手段）
４１１ｈ  使用許可部
４１１ｉ  使用実績取得部
４４  ＨＤＤ
４４ａ  設定条件記憶部（設定条件記憶手段）
４４ｂ  店舗記憶部（店舗記憶手段）
４４ｃ  要求条件記憶部（要求条件記憶手段）
４４ｄ  メーカ記憶部（メーカ記憶手段）
４４ｅ  商品記憶部（商品記憶手段）
５  携帯電話機
【図１】
2006318125.tif 000003
【図２】
2006318125.tif 000004
【図３】
2006318125.tif 000005
【図４】
2006318125.tif 000006
【図５】
2006318125.tif 000007
【図６】
2006318125.tif 000008
【図７】
2006318125.tif 000009
【図８】
2006318125.tif 000010
【図９】
2006318125.tif 000011
【図１０】
2006318125.tif 000012
【図１１】
2006318125.tif 000013
【図１２】
2006318125.tif 000014
【図１３】
2006318125.tif 000015
【図１４】
2006318125.tif 000016
【図１５】
2006318125.tif 000017
【図１６】
2006318125.tif 000018
【図１７】
2006318125.tif 000019
【図１８】
2006318125.tif 000020
【図１９】
2006318125.tif 000021
【図２０】
2006318125.tif 000022
【図２１】
2006318125.tif 000023
【図２２】
2006318125.tif 000024
【図２３】
2006318125.tif 000025
【図２４】
2006318125.tif 000026
【図２５】
2006318125.tif 000027